(57)【要約】  本発明の、３〜６つの側面があるリップバーム塗布具（５０）は、キャップ（１００）と、ライナー（２００）と、基部（３００）と、を含み、キャップ（１００）をライナー（２００）に、ライナー（２００）を基部（３００）に、また、１つのリップバーム塗布具（５０）の基部（３００）を別のリップバーム塗布具（５０）の同等の基部（３００）に係合させる係合組立体を有して、リップバーム容器（６０）を形成する。基部（３００）は、安定器（３０２）を備えた仕切り（３７０）を含み、安定器（３０２）は、仕切り（３７０）から現れて、仕切り（３７０）内の孔（３８０）に向かって半径方向に延びてその孔（３８０）の上に張り出す。リップバーム塗布具（５０）は、仕切り上部に近づくが仕切り上部に触れない充填高さまで充填されたドーム状のリップバーム（９０）を製造する型としてのリップバーム塗布具（５０）またはその構成要素に直接充填された、ドーム状のリップバーム（９０）を収容し得る。【選択図】図２
2019506943.tif 000002
【特許請求の範囲】
【請求項１】
第１のリップバームホルダーであって、第２のリップバームホルダーに解放可能に係合可能であり、前記第２のリップバームホルダーが、前記第１のリップバームホルダーと同等である、第１のリップバームホルダー。
【請求項２】
リップバーム塗布具であって、
キャップであって、
キャップ平坦縁およびキャップ上部周辺部を備えたキャップ上部と、
キャップ外部と、
下方キャップ内部および上方キャップ内部を有するキャップ内部と、
前記キャップ内部上の第１のキャップ係合組立体と、
キャップ下部周辺部と、を含み、
前記キャップは、３〜６つの側面を有する、キャップと、
ライナーであって、
ドーム状の上方ライナーセクションと、
第２のキャップ係合組立体を含むライナー周辺部を備える下方ライナーセクションであって、前記第２のキャップ係合組立体が前記第１のキャップ係合組立体と整列し前記ライナー周辺部を前記下方キャップ内部と係合させる、下方ライナーセクションと、
ライナー外部と、
下方ライナー内部および上方ライナー内部を有するライナー内部と、
前記下方ライナー内部上の第１のライナー係合組立体と、を含む、ライナーと、
基部であって、
基部上縁を有する上方基部セクションと、
下方基部セクションと、
前記上方基部セクションと前記下方基部セクションとを分割し、前記キャップ下部周辺部と整列する基部周辺部まで延びる仕切りであって、
前記仕切りが、仕切り下部および仕切り上部を有し、前記仕切り上部が、外側仕切り上部セクションおよび内側仕切り上部セクションを有する、仕切りと、
前記仕切り内の孔と、
第２のライナー係合組立体を含む上方基部セクション外壁であって、前記第２のライナー係合組立体が、前記第１のライナー係合組立体と整列し前記下方ライナー内部を前記上方基部セクション外壁と係合させる、上方基部セクション外壁と、
上方基部セクション内壁と、
前記内側仕切り上部セクション上で前記上方基部セクション内壁に隣接する第１の領域から立ち上がり、前記基部上縁と水平またはほぼ水平の高さまで上昇して、前記孔の上に張り出す第２の領域まで半径方向内側に延びる、複数の安定器と、
各安定器と前記上方基部セクション内壁との間の隙間と、
前記リップバーム塗布具の下方基部セクションと第２のリップバーム塗布具の下方基部セクションとの解放可能な係合をもたらす、前記下方基部セクション上の基部係合組立体と、を含み、
前記基部は、３〜６つの側面を有し、前記キャップの前記３〜６つの側面に対応する、基部と、
を含み、
前記リップバーム塗布具は、３〜６つの側面を有し、前記キャップの前記３〜６つの側面に対応する、リップバーム塗布具。
【請求項３】
前記安定器は、垂直ブレードである、請求項２に記載のリップバーム塗布具。
【請求項４】
前記安定器は、水平フィン付き垂直ブレードである、請求項２または３に記載のリップバーム塗布具。
【請求項５】
前記複数の安定器は、６つの安定器である、請求項２から４のいずれか一項に記載のリップバーム塗布具。
【請求項６】
前記複数の安定器は、交互に配列された、３つの垂直ブレードと、３つの水平フィン付き垂直ブレードと、を含む、請求項２から５のいずれか一項に記載のリップバーム塗布具。
【請求項７】
前記リップバーム塗布具は、４つの側面を有する、請求項２から６のいずれか一項に記載のリップバーム塗布具。
【請求項８】
前記リップバーム塗布具は、４つの同等の側面を有する、請求項２から７のいずれか一項に記載のリップバーム塗布具。
【請求項９】
前記リップバーム塗布具は、丸みを帯びた縁を備えた４つの同等の側面を有する、請求項２から８のいずれか一項に記載のリップバーム塗布具。
【請求項１０】
前記側面は、前記キャップ下部周辺部が前記キャップ上部周辺部より大きくなるように、長手方向外側に湾曲している、請求項２から９のいずれか一項に記載のリップバーム塗布具。
【請求項１１】
前記基部係合組立体は、スナップ嵌めである、請求項２から１０のいずれか一項に記載のリップバーム塗布具。
【請求項１２】
前記スナップ嵌めは、少なくとも１つの突起を有する少なくとも１つのタブと、少なくとも１つの穴を有する少なくとも１つのタブと、からなる、請求項１１に記載のリップバーム塗布具。
【請求項１３】
前記スナップ嵌めは、少なくとも１つの突起をそれぞれ有する２つの第１のタブと、少なくとも１つの穴をそれぞれ有する２つの第２のタブと、からなる、請求項１２に記載のリップバーム塗布具。
【請求項１４】
前記２つの第１のタブは、それぞれ２つの突起を有し、前記２つの第２のタブは、それぞれ２つの穴を有する、請求項１３に記載のリップバーム塗布具。
【請求項１５】
前記２つの第１のタブおよび前記２つの第２のタブは、前記基部上で交互に配列されている、請求項１３または請求項１４に記載のリップバーム塗布具。
【請求項１６】
前記上方基部セクション外壁および前記下方ライナー内部は、円形である、請求項２から１２のいずれか一項に記載のリップバーム塗布具。
【請求項１７】
前記第１のライナー係合組立体および前記第２のライナー係合組立体は、ねじ嵌めを形成する、請求項１６に記載のリップバーム塗布具。
【請求項１８】
前記第１のライナー係合組立体および前記第２のライナー係合組立体は、ねじ嵌めを形成する相補的な斜面である、請求項１７に記載のリップバーム塗布具。
【請求項１９】
前記上方基部セクション外壁は、少なくとも１つの傾斜部と、少なくとも１つのくぼみと、少なくとも１つのくさびと、を含む、請求項２から１８のいずれか一項に記載のリップバーム塗布具。
【請求項２０】
前記下方ライナー内部は、少なくとも１つのピンを含む、請求項１９に記載のリップバーム塗布具。
【請求項２１】
前記少なくとも１つのピンは、前記少なくとも１つのくぼみと整列し、前記少なくとも１つのくさびは、前記ライナーが回転するのを阻止する、請求項２０に記載のリップバーム塗布具。
【請求項２２】
前記第１のキャップ係合組立体および前記第２のキャップ係合組立体は、スナップ嵌めを形成する、請求項２から２１のいずれか一項に記載のリップバーム塗布具。
【請求項２３】
前記第１のキャップ係合組立体は、前記下方キャップ内部上に少なくとも１つの歯を含み、前記第２のキャップ係合組立体は、前記ライナー周辺部上に少なくとも１つの切り欠きを含み、前記少なくとも１つの歯および前記少なくとも１つの切り欠きは、整列して前記スナップ嵌めを形成する、請求項２２に記載のリップバーム塗布具。
【請求項２４】
４つの歯と、４つの切り欠きと、を備える、請求項２３に記載のリップバーム塗布具。
【請求項２５】
前記キャップ上部は、前記キャップ平坦縁からへこんでいる、請求項２から２４のいずれか一項に記載のリップバーム塗布具。
【請求項２６】
前記キャップまたは前記ライナーは、透明である、請求項２から２５のいずれか一項に記載のリップバーム塗布具。
【請求項２７】
前記キャップおよび前記ライナーは、透明である、請求項２６に記載のリップバーム塗布具。
【請求項２８】
前記リップバーム塗布具は、リップバームをさらに含む、請求項２から２７のいずれか一項に記載のリップバーム塗布具。
【請求項２９】
前記リップバームは、半固体である、請求項２８に記載のリップバーム塗布具。
【請求項３０】
前記リップバームは、保湿剤、風味料、甘味料、着色料、薬品、日焼け止め、矯味剤、センセート、酸化防止剤、保存料、およびそれらの組み合わせからなる群から選択された少なくとも１つの成分を含む、請求項２８または請求項２９に記載のリップバーム塗布具。
【請求項３１】
前記リップバームは、安定器によって位置的に安定している、請求項２８から３０のいずれか一項に記載のリップバーム塗布具。
【請求項３２】
前記孔は、覆われている、請求項２８から３１のいずれか一項に記載のリップバーム塗布具。
【請求項３３】
第１のリップバーム塗布具と、第２のリップバーム塗布具と、からなる、リップバーム容器であって、前記第１のリップバーム塗布具および前記第２のリップバーム塗布具はそれぞれ、
キャップ平坦縁およびキャップ上部周辺部を備えたキャップ上部と、キャップ外部と、下方キャップ内部および上方キャップ内部を有するキャップ内部と、前記キャップ内部上の第１のキャップ係合組立体と、キャップ下部周辺部と、を含むキャップであって、前記キャップは、３〜６つの側面を有する、キャップと、
ドーム状の上方ライナーセクションと、第２のキャップ係合組立体を含むライナー周辺部を備えた下方ライナーセクションであって、前記第２のキャップ係合組立体が前記第１のキャップ係合組立体と整列し前記ライナー周辺部を前記下方キャップ内部と係合させる、下方ライナーセクションと、ライナー外部と、下方ライナー内部および上方ライナー内部を有するライナー内部と、前記下方ライナー内部上の第１のライナー係合組立体と、を含むライナーと、
基部上縁を有する上方基部セクションと、下方基部セクションと、前記上方基部セクションと前記下方基部セクションとを分割し、前記キャップ下部周辺部と整列する基部周辺部まで延びる仕切りであって、前記仕切りが仕切り下部および仕切り上部を有し、前記仕切り上部が外側仕切り上部セクションおよび内側仕切り上部セクションを有する、仕切りと、前記仕切り内の孔と、第２のライナー係合組立体を含む上方基部セクション外壁であって、前記第２のライナー係合組立体が、前記第１のライナー係合組立体と整列し前記下方ライナー内部を前記上方基部セクション外壁と係合させる、上方基部セクション外壁と、上方基部セクション内壁と、前記内側仕切り上部セクション上で前記上方基部セクション内壁に隣接する第１の領域から立ち上がり、前記基部上縁と水平またはほぼ水平の高さまで上昇して、前記孔の上に張り出す第２の領域まで半径方向内側に延びる、複数の安定器と、各安定器と前記上方基部セクション内壁との間の隙間と、前記第１のリップバーム塗布具の下方基部セクションと前記第２のリップバーム塗布具の下方基部セクションとの解放可能な係合をもたらす、前記下方基部セクション上の基部係合組立体と、を含む基部であって、前記基部は、３〜６つの側面を有し、前記キャップの前記３〜６つの側面に対応する、基部と、
を含み、
前記第１のリップバーム塗布具および前記第２のリップバーム塗布具はそれぞれ、３〜６つの側面を有し、前記キャップの前記３〜６つの側面に対応し、
前記第１のリップバーム塗布具および前記第２のリップバーム塗布具は、前記基部係合組立体を介して係合される、リップバーム容器。
【請求項３４】
前記リップバーム容器は、バレル形状である、請求項３３に記載のリップバーム容器。
【請求項３５】
前記第１のリップバーム塗布具および前記第２のリップバーム塗布具はそれぞれ、
丸みを帯びた縁を備え、緯度の方向にわずかに湾曲している４つの同等の側面を含み、前記４つの同等の側面は、長手方向外側に湾曲しており、
前記基部周辺部は、前記キャップ上部周辺部よりわずかに大きく、
前記キャップ上部は、前記キャップ平坦縁からへこんでおり、
前記基部は、スナップ嵌め基部係合組立体を有し、前記スナップ嵌め基部係合組立体は、２つの突起をそれぞれ有する２つの第１のタブと、２つの穴をそれぞれ有する２つの第２のタブと、からなる、請求項３３に記載のリップバーム容器。
【請求項３６】
各リップバーム塗布具は、切頭角錐状である、請求項３５に記載のリップバーム容器。
【請求項３７】
各リップバーム塗布具は、切頭多角形である、請求項３５に記載のリップバーム容器。
【請求項３８】
リップバームディスペンサーであって、
ドーム状の上方ライナーセクションと、ライナー周辺部を備えた下方ライナーセクションと、ライナー外部と、下方ライナー内部および上方ライナー内部を有するライナー内部と、前記下方ライナー内部上の第１のライナー係合組立体と、を含むライナーであって、前記ライナー周辺部は、随意にキャップ係合組立体を有する、ライナーと、
基部上縁を有する上方基部セクションと、下方基部セクションと、前記上方基部セクションと前記下方基部セクションとを分割し、基部周辺部まで延びる仕切りであって、前記仕切りが、仕切り下部および仕切り上部を有し、前記仕切り上部が、外側仕切り上部セクションおよび内側仕切り上部セクションを有する、仕切りと、前記仕切り内の孔と、第２のライナー係合組立体を含む上方基部セクション外壁であって、前記第２のライナー係合組立体が、前記第１のライナー係合組立体と整列し前記下方ライナー内部を前記上方基部セクション外壁と係合させる、上方基部セクション外壁と、上方基部セクション内壁と、前記内側仕切り上部セクション上で前記上方基部セクション内壁に隣接する第１の領域から立ち上がり、前記基部上縁と水平またはほぼ水平の高さまで上昇して、前記孔の上に張り出す第２の領域まで半径方向内側に延びる、複数の安定器と、各安定器と前記上方基部セクション内壁との間の隙間と、前記リップバームディスペンサーの下方基部セクションと第２のリップバームディスペンサーの下方基部セクションとの解放可能な係合をもたらす、前記下方基部セクション上の基部係合組立体と、を含む基部であって、前記基部は、３〜６つの側面を有する、基部と、
を含む、リップバームディスペンサー。
【請求項３９】
リップバーム用型であって、
ドーム状の上方ライナーセクションと、ライナー周辺部を備えた下方ライナーセクションと、ライナー外部と、下方ライナー内部および上方ライナー内部を有するライナー内部と、前記下方ライナー内部上の第１のライナー係合組立体と、を含むライナーであって、前記ライナー周辺部は、随意にキャップ係合組立体を有する、ライナーと、
基部上縁を有する上方基部セクションと、下方基部セクションと、前記上方基部セクションと前記下方基部セクションとを分割し、基部周辺部まで延びる仕切りであって、前記仕切りが、仕切り下部および仕切り上部を有し、前記仕切り上部が、外側仕切り上部セクションおよび内側仕切り上部セクションを有する、仕切りと、前記仕切り内の孔と、第２のライナー係合組立体を含む上方基部セクション外壁であって、前記第２のライナー係合組立体が、前記第１のライナー係合組立体と整列し前記下方ライナー内部を前記上方基部セクション外壁と係合させる、上方基部セクション外壁と、上方基部セクション内壁と、前記内側仕切り上部セクション上で前記上方基部セクション内壁に隣接する第１の領域から立ち上がり、前記基部上縁と水平またはほぼ水平の高さまで上昇して、前記孔の上に張り出す第２の領域まで半径方向内側に延びる、複数の安定器と、各安定器と前記上方基部セクション内壁との間の隙間と、第１のリップバーム塗布具の下方基部セクションと第２のリップバーム塗布具の下方基部セクションとの解放可能な係合をもたらす、前記下方基部セクション上の基部係合組立体と、を含む、基部であって、前記基部は、３〜６つの側面を有する、基部と、
を含み、
前記ライナーおよび前記基部は、前記第１のライナー係合組立体および前記第２のライナー係合組立体を介して係合され、
係合された前記ライナーおよび前記基部は、前記仕切り下部が上を向くように反転される、リップバーム用型。
【請求項４０】
キャップをさらに含み、前記キャップは、キャップ平坦縁およびキャップ上部周辺部を備えたキャップ上部と、キャップ外部と、下方キャップ内部および上方キャップ内部を有するキャップ内部と、前記キャップ内部上の第１のキャップ係合組立体と、キャップ下部周辺部とを含み、前記ライナー周辺部は、随意の前記キャップ係合組立体を含む、請求項３９に記載のリップバーム用型。
【請求項４１】
リップバーム用型を充填する方法であって、溶融リップバーム組成物を、前記リップバーム用型の仕切り内の孔を通じて、前記仕切りに近づくが前記仕切りに触れない充填高さまで、前記リップバーム用型の中に移すステップを含む、リップバーム用型を充填する方法。
【請求項４２】
前記充填高さは、前記仕切りと前記溶融リップバーム組成物との間にエアポケットを提供する、請求項４１に記載のリップバーム用型を充填する方法。
【請求項４３】
前記エアポケットは、約０．５ｍｍ〜約７ｍｍの厚さである、請求項４２に記載のリップバーム用型を充填する方法。
【請求項４４】
前記エアポケットは、約１ｍｍ〜約５ｍｍの厚さである、請求項４２または請求項４３に記載のリップバーム用型を充填する方法。
【請求項４５】
前記エアポケットは、約１．５ｍｍ〜約４ｍｍの厚さである、請求項４２から４４のいずれか一項に記載のリップバーム用型を充填する方法。
【請求項４６】
ドーム状のリップバームを製造する方法であって、溶融リップバーム組成物を形成するステップと、前記溶融リップバーム組成物を、リップバーム用型の仕切り内の孔を通して、前記仕切りに近づくが前記仕切りに触れない充填高さまで、前記リップバーム用型の中に充填するステップと、前記リップバーム組成物を凝結させるのに十分な温度まで前記溶融リップバーム組成物を冷却するステップと、を含む、ドーム状のリップバームを製造する方法。
【請求項４７】
前記充填高さは、前記仕切りと前記溶融リップバーム組成物との間にエアポケットを提供する、請求項４６に記載のドーム状のリップバームを製造する方法。
【請求項４８】
前記エアポケットは、約０．５ｍｍ〜約７ｍｍの厚さである、請求項４７に記載のドーム状のリップバームを製造する方法。
【請求項４９】
前記エアポケットは、約１ｍｍ〜約５ｍｍの厚さである、請求項４７または請求項４８に記載のドーム状のリップバームを製造する方法。
【請求項５０】
前記エアポケットは、約１．５ｍｍ〜約４ｍｍの厚さである、請求項４７から４９のいずれか一項に記載のドーム状のリップバームを製造する方法。
【発明の詳細な説明】
【技術分野】
【０００１】
本発明は、リップバームを調製し送り出すための構成要素、構成要素を充填する方法およびリップバームを製造する方法、ならびに構成要素内に収容されるリップバーム組成物に関する。
【背景技術】
【０００２】
リップバームは、傷ついた唇を治療し、その唇を、環境への曝露から保護するのに使用される保湿剤および／または水分を封じ込める成分を含む半固体組成物である。リップバームは、種々の形状および入れ物タイプで利用可能である。瓶および壺が、通常、へりのすぐ下の高さまで充填され、リップバームは、少量の半固体を指で取り出し、指を唇全体にこすりつけることによって、塗布される。これらのリップバームはしばしば、いくつかの他のリップバーム形態よりも面倒で無菌性が低いと消費者によって考えられている。
【０００３】
スティックリップバームは、円筒形または弾丸形状であり、管を通して送り出される。スティックリップバームは、スティックを管から延ばし、その管をハンドルとして使用して、リップバームを唇の上で動かすことによって、塗布される。デュアルエンド型スティックリップバームは市販されている、すなわち、ＣＨＡＰＳＴＩＣＫ（登録商標）ＭＩＸＳＴＩＸ（登録商標）であるが、各端部のリップバームは、取り外しできず、ある一定の風味の組み合わせのみが利用可能であり、それらは、消耗時に置き換えることができない。
【０００４】
近年、ドーム状のリップバームが、丸みを帯びた形状のため、美学的に見て美しく、塗布するのが容易であるとして、普及してきている。米国意匠特許第７３５，４１３号などにおける立方体形状のホルダーおよび米国特許第８，８８８，３９１号などにおける実質的に球形状のホルダーが、市販されている。米国特許第８，８８８，３９１号の球形のホルダーは、上方部分および下方部分を備えた、２部品の外部を有する。下方部分は、取り外し可能な内部部品である、車輪形状の支持プラットホームを収容し、これを通して、リップバームが所定の場所に保持される。下方部分は、リップバームを塗布する際につかみ部として使用される。
【０００５】
先行技術におけるこれらのドーム状のリップバームホルダーは、１つの製品につき１つのみのリップバームを有する、シングルエンド型（single-ended）であり、リップバームは、ホルダーから解放できず、ホルダー内で置き換えることもできない。ホルダーは、他のリップバームホルダーと接続可能でも係合可能でもない。
【０００６】
さらに、市販のドーム状のリップバームに関する問題が、インターネットウェブサイト上で広く指摘されている。ドーム状のリップバームおよび典型的にはそれらを保持するのに使用される支持プラットホームの形状により、大量のリップバーム材料が、支持プラットホームより下に保持され、よって、消費者によって使用できない。これは、リップバームを暑い車中に放置したり、衣類乾燥機の中に入れたりするなど、リップバームが偶発的に過度な温度に曝露されると、深刻化する。半固体のリップバームは、典型的には、約４０℃より低い、好ましくは３０℃を下回る温度で、使用および保管されなければならない。極端に高い温度、半固体のリップバームの融点を上回る温度に曝露されると、リップバームは液体となる。開放タイプの支持機構を備えたドーム状のリップバームでは、問題なことに、リップバームの大半が最も下部の領域へと移動し、そこでは、著しい努力なしにはリップバームをもはや使用できない。使用できないリップバーム材料の回収は、消費者に、入れ物を分解させるか、またはリップバームを再溶融させて、消費者が瓶のリップバームとして使用することができるよう、別のホルダーに移させることとなる。
【０００７】
より使用に適したドーム状のリップバーム製品およびそのホルダーへの必要性が存在している。これは、使用するのが容易で心地よく、利便性および選択肢を消費者に与え、不注意に過度に高い温度で保管された場合に使用可能なままであり、かつ、使用できなくなった場合に置き換え可能でなければならない。
【発明の概要】
【発明が解決しようとする課題】
【０００８】
リップバーム塗布具またはホルダーであって、このリップバーム塗布具またはホルダーと同等である別のリップバーム塗布具またはホルダーと解放可能に係合可能である、リップバーム塗布具またはホルダーを提供することが、本発明の目的である。このような構成は、デュアルエンド型リップバーム容器を提供し、これは、消費者への選択肢を可能にし、消費者による使いやすさを促進し、別の接続ユニットおよび／または差別化された基部構成要素の必要性を排除することによって製造における費用を減少させる。
【０００９】
リップバーム塗布具の中に充填されたリップバームを安定させる、リップバーム塗布具を提供することが、本発明の別の目的である。この安定性は、回転方向における位置安定性、反転された際の下向き方向における位置安定性、ならびに消費者によって偶発的にリップバーム組成物の融点を上回る温度に曝露された場合における使用可能なリップバームの損失の減少を含む。
【００１０】
消費者が係合解除し開けるのが容易であるが消費者が望むまで係合されるかまたは開かれないままであるのに十分にでこぼこしている係合組立体を備えたリップバーム塗布具を提供することが、本発明の別の目的である。別の目的は、１つの構成要素を、別の構成要素を係合解除しようとした場合に係合解除すること、例えば、２つの係合した基部を、一端部の基部とライナーとを係合解除しようとした場合に偶発的に係合解除すること、を防ぐため、本発明のリップバーム塗布具において使用される係合組立体の識別をもたらす。
【００１１】
リップバーム塗布具またはリップバーム容器が転がっていかないよう、側面のうち１つを支えにして置いた場合および直立に立つかまたは反転された場合に安定する、リップバーム塗布具またはリップバーム容器を提供することが、本発明の別の目的である。
【００１２】
消費者の手の中および消費者の唇の上で心地よく、特定の内部もしくは外部の場所またはその両方に丸みを帯びた縁を提供すると共に、適切な数の側面を保持し、それにより、リップバーム塗布具またはリップバーム容器を開けるのを容易にする、リップバーム塗布具またはリップバーム容器を提供することが、本発明の別の目的である。
【００１３】
リップバーム塗布具を製造する費用を最小にすることが、本発明の別の目的であり、これは、リップバーム塗布具における構成要素の数を最小にすることと；リップバーム塗布具において使用される隙間充填剤などの材料の量を最小にすることと；リップバーム塗布具の構成要素を製造するのに使用される材料（例えば、種々のプラスチック）のタイプを最小にすることと；リップバーム用型、および使用中にリップバーム塗布具を保持するためのハンドルまたはつかみ部のような、追加の部品を最小にすることと、を含む。
【課題を解決するための手段】
【００１４】
本発明のこれらおよび他の目的は、本明細書に記載される、リップバーム塗布具、リップバーム容器、リップバームディスペンサー、リップバーム用型、リップバーム用型を充填する方法、または、ドーム状のリップバームを製造する方法によって提供される。
【００１５】
本発明は、リップバーム塗布具であって、このリップバーム塗布具と同等である別のリップバーム塗布具と解放可能に係合可能である、リップバーム塗布具を提供する。リップバーム塗布具は、キャップと、ライナーと、基部と、を含む。キャップは、キャップ平坦縁およびキャップ上部周辺部を備えたキャップ上部と、キャップ外部と、下方キャップ内部および上方キャップ内部を有するキャップ内部と、キャップ内部上の第１のキャップ係合組立体と、キャップ下部周辺部と、を含み、キャップは、３〜６つの側面を有する。
【００１６】
ライナーは、ドーム状の上方ライナーセクションと、第２のキャップ係合組立体を含むライナー周辺部を備えた下方ライナーセクションであって、第２のキャップ係合組立体が、第１のキャップ係合組立体と整列しライナー周辺部を下方キャップ内部と係合させる、下方ライナーセクションと、ライナー外部と、下方ライナー内部および上方ライナー内部を有するライナー内部と、下方ライナー内部上の第１のライナー係合組立体と、を含む。
【００１７】
基部は、基部上縁を有する上方基部セクションと、下方基部セクションと、上方基部セクションと下方基部セクションとを分割し、キャップ下部周辺部と整列する基部周辺部まで延びる仕切りであって、仕切りが、仕切り下部および仕切り上部を有し、仕切り上部が、外側仕切り上部セクションおよび内側仕切り上部セクションを有する、仕切りと、仕切り内の孔と、第２のライナー係合組立体を含む上方基部セクション外壁であって、第２のライナー係合組立体が、第１のライナー係合組立体と整列し下方ライナー内部を上方基部セクション外壁と係合させる、上方基部セクション外壁と、上方基部セクション内壁と、内側仕切り上部セクション上で上方基部セクション内壁に隣接する第１の領域から立ち上がり、基部上縁と水平またはほぼ水平の高さまで上昇して、孔の上に張り出す第２の領域まで半径方向内側に延びる、複数の安定器と、各安定器と上方基部セクション内壁との間の隙間と、リップバーム塗布具の下方基部セクションと第２のリップバーム塗布具の下方基部セクションとの解放可能な係合をもたらす、下方基部セクション上の基部係合組立体と、を含み、基部は、３〜６つの側面を有し、キャップの３〜６つの側面に対応する。安定器の最大高さは、基部上縁と水平方向に同じ高さであってよく；基部上縁の高さをわずかに下回り、例えば、基部上縁の高さを約１ｍｍ以内下回り、好ましくは約０．５ｍｍ以内下回り、より好ましくは約０．２ｍｍ以内下回り；あるいは、基部上縁の高さをわずかに上回り、例えば、基部上縁の高さを約１ｍｍ以内上回り、好ましくは約０．５ｍｍ以内上回り、より好ましくは約０．２ｍｍ以内上回る。
【００１８】
本発明のリップバーム塗布具は、リップバームをさらに含み得る。
本発明は、本発明の２つのリップバーム塗布具を含むリップバーム容器であって、リップバーム塗布具が、各リップバーム塗布具の基部係合組立体を通じて解放可能に係合されている、リップバーム容器を提供する。
【００１９】
本発明は、リップバームディスペンサーであって、このリップバームディスペンサーと同等である別のリップバームディスペンサーと解放可能に係合可能である、リップバームディスペンサーを提供する。このリップバームディスペンサーは、ライナーと、基部と、を含み、基部は３〜６つの側面を有する。本発明のリップバームディスペンサーは、リップバームをさらに含み得る。
【００２０】
本発明は、リップバーム塗布具と解放可能に係合可能であるリップバームディスペンサーを提供し、リップバーム塗布具は、リップバームディスペンサーの基部と同等である基部を有する。リップバーム塗布具およびリップバームディスペンサーの基部はそれぞれ、３〜６つの側面を有する。リップバームディスペンサーもしくはリップバーム塗布具のいずれか、またはその両方が、リップバームをさらに含み得る。
【００２１】
本発明は、ライナーと、基部と、を含むリップバーム用型を提供し、ライナーおよび基部は、第１および第２のライナー係合組立体によって係合され、仕切り下部が上を向くように反転される。リップバーム用型は、本発明のキャップをさらに含み得る。
【００２２】
本発明は、リップバーム用型を充填する方法を提供し、この方法は、溶融リップバーム組成物を、仕切り内の孔を通じて、仕切り上部に近づくが仕切り上部に触れない充填高さまでリップバーム用型の中に移すステップを含む。型が仕切り上部よりわずかに下の充填高さまで充填されると、エアポケットが、仕切り上部と溶融リップバーム組成物の上面との間に残る。エアポケットの厚さは、約０．５ｍｍ、約１ｍｍ、約１．５ｍｍ、約２ｍｍ、約２．５ｍｍ、約３ｍｍ、約３．５ｍｍ、約４ｍｍ、約４．５ｍｍ、約５ｍｍ、約５．５ｍｍ、約６ｍｍ、約６．５ｍｍ、もしくは約７ｍｍ、またはこれらの厚さのうちの任意の２つの間の範囲である。
【００２３】
本発明は、ドーム状のリップバームを製造する方法を提供し、この方法は、溶融リップバーム組成物を形成するステップと、溶融リップバーム組成物を、仕切り内の孔を通じて、仕切りに近づくが仕切りに触れない充填高さまでリップバーム用型の中に充填するステップと、リップバーム組成物を凝結させるのに十分な温度まで溶融リップバーム組成物を冷却するステップと、を含む。
【００２４】
前述した本発明、ならびに追加の実施形態、目的、および利点が、以下の詳細な説明から、また、添付図面の例示的な実施形態を参照して、さらに明らかとなるであろう。
【図面の簡単な説明】
【００２５】
【図１Ａ】図１Ａは本発明のリップバーム容器の斜視図である。
【図１Ｂ】図１Ｂは本発明のリップバーム塗布具の斜視図である。
【図２】オプションのリップバームと、デュアルエンド型リップバーム容器の両方のリップバーム塗布具の端部上に示されたオプションの外被と、を備えている、本発明のリップバーム容器の分解組立図である。
【図３】本発明のキャップの断面図である。
【図４】本発明のキャップの底面図である。
【図５】本発明のライナーの斜視図である。
【図６】本発明のライナーの断面図である。
【図７】本発明のライナーの底面図である。
【図８】本発明の基部の斜視図である。
【図９】本発明の基部の断面図である。
【図１０】本発明の基部の上面図である。
【図１１】本発明の基部の底面図である。
【発明を実施するための形態】
【００２６】
図１Ｂに示すリップバーム塗布具５０は、キャップ１００と、キャップ１００の内側で完全に取り囲まれた（図５に示す）ライナー２００と、基部３００と、を含む。リップバーム塗布具５０は、３〜６つの側面１２１を有する。
【００２７】
図３および図４に示すキャップ１００は、キャップ平坦縁１０２およびキャップ上部周辺部１０４を備えるキャップ上部１０１と；キャップ外部１２０と；下方キャップ内部１５１および上方キャップ内部１５２を有するキャップ内部１５０と；下方キャップ内部１５１上の第１のキャップ係合組立体１５５と；キャップ下部周辺部１５４と、を含む。キャップ１００は、３〜６つの側面を有する。
【００２８】
図５〜図７に示すライナー２００は、ドーム状の上方ライナーセクション２０１と；第２のキャップ係合組立体２５５を含むライナー周辺部２５４を備える下方ライナーセクション２１１であって、第２のキャップ係合組立体２５５が（図３に示す）第１のキャップ係合組立体１５５と整列しライナー周辺部２５４を（図３に示す）下方キャップ内部１５１と係合させる、下方ライナーセクション２１１と；ライナー外部２２０と；下方ライナー内部２５１および上方ライナー内部２５２を有するライナー内部２５０と；下方ライナー内部２５１上の第１のライナー係合組立体２６５と、を含む。
【００２９】
図８〜図１１に示す基部３００は、基部上縁３０９を有する上方基部セクション３０１と；下方基部セクション３１１と；上方基部セクション３０１と下方基部セクション３１１とを分割し、（図４に示す）キャップ下部周辺部１５４と整列する基部周辺部３５４まで延びる仕切り３７０であって、仕切り３７０が仕切り下部３７６および仕切り上部３７１を有し、仕切り上部３７１が外側仕切り上部セクション３７２および内側仕切り上部セクション３７３を有する、仕切り３７０と；仕切り３７０の中央に位置する孔３８０と；第２のライナー係合組立体３６５を含む上方基部セクション外壁３２０であって、第２のライナー係合組立体３６５が、（図６に示す）第１のライナー係合組立体２６５と整列し（図６に示す）下方ライナー内部２５１を上方基部セクション外壁３２０と係合させる、上方基部セクション外壁３２０と；上方基部セクション内壁３３０と；内側仕切り上部セクション３７３上で上方基部セクション内壁３３０に隣接する第１の領域３０３から立ち上がり、基部上縁３０９と水平またはほぼ水平の高さまで上昇して、孔３８０の上に張り出す第２の領域３０６まで半径方向内側に延びる、複数の安定器３０２と；各安定器３０２と上方基部セクション内壁３３０との間の隙間３３１と；リップバーム塗布具５０の下方基部セクション３１１と第２のリップバーム塗布具５０の下方基部セクション３１１との解放可能な係合をもたらす、下方基部セクション３１１上の基部係合組立体３１５と、を含む。基部３００は、３〜６つの側面を有する。
【００３０】
リップバーム塗布具５０は、３つの側面、４つの側面、５つの側面、または６つの側面１２１を有し得る。これらの側面は、基部周辺部３５４において基部３００の３〜６つの側面に合流する、キャップ下部周辺部１５４で整列するキャップ１００の３〜６つの側面によって形成され、キャップおよび基部の側面の数は対応しており、同じ数の側面を有するリップバーム塗布具５０を提供する。側面１２１の数が増加するにつれて、リップバーム塗布具５０を開けるてこの力が減少する。発明者らは、３〜６つの側面１２１が、消費者に、キャップ１００を開ける際の最適なてこの力、およびリップバーム塗布具５０を使用する際の有益なつかみ部を与えると考える。
【００３１】
側面１２１は、サイズが同等である、すなわち、正方形などの正多角形であってよく、あるいは、サイズが異なる、例えば矩形であってよい。リップバーム塗布具５０は、管状ではなく、実質的に球形または楕円形でない。明確な側面１２１を有することで、リップバーム塗布具５０をその側面１２１を支えにして置いた場合に位置安定性が改善し；転がる傾向が、除外されるとまでいかなくても、大きく低減される。
【００３２】
好ましい実施形態では、リップバーム塗布具５０は４つの側面１２１を有する。別の好ましい実施形態では、リップバーム塗布具５０は、４つの同等の側面１２１を有する、すなわち、リップバーム塗布具５０は正方形である。別の好ましい実施形態では、リップバーム塗布具５０は、丸みを帯びた縁を備えた４つの同等の側面１２１を有する、すなわち、丸みを帯びた正方形である。同等の側面を有することは、キャップ１００が複数の向きで基部３００と容易に整列するという利点をもたらし；例えば、リップバーム塗布具５０が４つの同等の側面１２１を有する場合、キャップ１００は、４つの異なる向きで基部３００と整列する。これらの向きのうちのどれもが等しく、消費者がキャップ１００を基部３００上に設置するのを容易にする。
【００３３】
一実施形態では、側面１２１は平坦面である。別の実施形態では、側面１２１は湾曲面である。縁は、正方形であるか、丸みを帯びているか、面取りされているか、または別様に角度が付けられていてよい。好ましい実施形態では、側面１２１は、丸みを帯びた縁を備えて最小限にまたはわずかに緯度の方向に湾曲している。側面１２１上のわずかな湾曲と丸みを帯びた縁を有することは、消費者の手の中での心地よい感触を助長すると共に、リップバーム塗布具５０がその側面１２１のうちの１つを支えにして置かれた際に位置安定性を維持する。別の好ましい実施形態では、側面１２１は、長手方向に外側に湾曲し、それによって、整列し、そのためサイズが等しい基部周辺部３５４およびキャップ下部周辺部１５４は、キャップ上部周辺部１０４より大きくなる。
【００３４】
側面１２１の外面は、滑らかであるか、けばを立てられている（brushed）か、くぼみがあるか、ざらつきがあるか、または任意の他のレリーフであってよい。好ましい実施形態では、側面１２１の外面の手触りは滑らかである。
【００３５】
本発明のキャップ１００は、本発明のリップバーム塗布具５０、リップバーム容器６０、またはリップバーム用型の構成要素であってよい。キャップ１００は、単一の構成要素として製造される。一実施形態では、キャップ上部１０１は平坦である。好ましい実施形態では、キャップ上部１０１は、キャップ平坦縁１０２からへこんでいる。へこんだキャップ上部１０１は、キャップ上部周辺部１０４に沿ったキャップ平坦縁１０２と組み合わせて、直立位置に置かれた場合、すなわち、その側面１２１のうちの１つを支えにして置かれるのとは対照的に、そのキャップ１００を支えにして立つ場合に、リップバーム塗布具５０に位置安定性を与える。
【００３６】
本発明のライナー２００は、本発明のリップバーム塗布具５０、リップバーム容器６０、リップバームディスペンサー、またはリップバーム用型の構成要素であってよい。ライナー２００は、単一の構成要素として製造される。
【００３７】
本発明の基部３００は、本発明のリップバーム塗布具５０、リップバーム容器６０、リップバームディスペンサー、またはリップバーム用型の構成要素であってよい。本発明の基部３００は、別の同等の基部と係合するための、一体化した係合組立体を含むので、係合するための別個の構成要素のいかなる必要性も排除される。基部３００は、単一の構成要素として製造され、それによって製造費用を減少させる。単一の構成要素を製造することにより、ただ１組の許容差が基部３００に必要となるので、品質も向上させる。よって、それぞれがそれ自体の許容差を有する複数の基部部品を、製造後に組み立てる必要性がなくなる。製造は、典型的には射出成形であるが、基部および本発明の他の構成要素を製造する他の方法が、本発明の範囲内である。
【００３８】
各基部３００の一体化した係合組立体は、２つの対応するリップバーム塗布具５０、２つの対応するリップバームディスペンサー、またはリップバーム塗布具と対応するリップバームディスペンサーとの係合を可能にする。よって、係合組立体は、使用可能なリップバーム組成物を保持することができる同等の基部３００と係合することが意図されており、この同等の基部３００は、オプションとして、リップバーム９０を含み得る。
【００３９】
基部３００は、適切に対にされなければならない、異なるけれども相補的である２つの構成を有するのとは対照的に、構成が同等である。同等の構成を有することは、１つしか基部構成がないので、消費者が、どの基部構成を選択すべきかについて混乱することなく、本発明の任意の２つのリップバーム塗布具５０を対にすることを可能にする。さらに、リップバーム塗布具５０の解放可能性（releasability）は、必要に応じて、または所望されるときにいつでもユニットを置き換える柔軟性に加えて、リップバーム容器６０の相対する端部に取り付けられたリップバーム塗布具５０内のリップバーム９０を混合または適合させる能力を、消費者に与える。
【００４０】
基部３００の仕切り３７０は、上方基部セクション３０１を下方基部セクション３１１から分離する平坦面である。仕切り３７０は、孔３８０が仕切り３７０内に位置することを除き、縁から縁へ基部３００を完全に横切って延びている。複数の安定器３０２が、上方基部セクション内壁３３０付近の場所から始まるが、上方基部セクション内壁３３０までは延びずに、仕切り３７０から現れている。よって、いかなる安定器３０２も上方基部セクション内壁３３０に触れないように、隙間３３１が各安定器３０２と上方基部セクション内壁３３０との間に存在する。液体リップバーム組成物がリップバーム塗布具５０内に充填されると、各安定器３０２と上方基部セクション内壁３３０との間の隙間３３１が、仕切り３７０に近いが仕切り３７０には触れない、ある高さまでリップバーム組成物で充填される。空気ポケットが仕切り３７０とリップバーム組成物との間に残り、安定器３０２の小さいセクションが覆われていないままとなる。その覆われていないセクションは、安定器３０２が仕切り３７０から立ち上がる領域を含む。安定器３０２は上方基部セクション内壁３３０に到達しないので、リップバーム組成物は、安定器３０２から内壁までの隙間３３１を充填するが、仕切り３７０には触れない。安定器３０２は、リップバーム９０を所定の場所に位置的に安定させる。
【００４１】
一実施形態では、各安定器３０２は、基部上縁３０９と水平方向に同じ高さである最大高さまで立ち上がり、そのため、平坦面が縁全体を覆うように基部上縁３０９上に置かれたら、各安定器３０２の最も高い高さはその平坦面に触れる。別の実施形態では、安定器３０２の最大高さは、基部上縁３０９の高さをわずかに下回り、例えば、基部上縁の高さを約１ｍｍ以内下回り、好ましくは約０．５ｍｍ以内下回り、より好ましくは約０．２ｍｍ以内下回る。別の実施形態では、安定器３０２の最大高さは、基部上縁３０９の高さをわずかに上回り、例えば、基部上縁の高さを約１ｍｍ以内上回り、好ましくは約０．５ｍｍ以内上回り、より好ましくは約０．２ｍｍ以内上回る。
【００４２】
一実施形態では、安定器３０２の高さは、安定器の長さにわたり一貫している。別の実施形態では、安定器３０２の高さは、安定器の長さにわたり変化する。別の実施形態では、安定器３０２の高さは、安定器の長さにわたり弓状であるか、または湾曲している。安定器３０２のうちの１つまたは複数は、安定器の長さにわたり、小さいくぼんだ領域を含んでよく、この領域で、射出成形中に射出ゲートが発生する。好ましい実施形態では、安定器３０２の上縁は、上方基部セクション内壁３３０に最も近い端部における最短高さから、孔３８０の上に突出する端部における最高高さまで、上方に徐々に傾斜する。
【００４３】
各安定器３０２は、仕切り３７０の中心に向かって半径方向内側に延び、孔３８０の上に延びる位置で終端する。この張出しを達成するため、安定器３０２の上部セクションは、安定器３０２の下部セクションより長い。この長さの差を達成する安定器３０２の形状は、さまざまであってよく、例えば、高さ全体にわたり一定の角度であってよく、すなわち、くさび形であるか、または代わりに、特定の高さまでは一貫した長さを有して、残部が長さを延長されてよい。好ましい実施形態では、安定器３０２の下部セクションの長さは、孔３８０の縁まで延び、安定器は、約５ｍｍ〜約６ｍｍの一貫した長さで、安定器３０２の上縁から約２ｍｍ〜約３ｍｍの高さまで、約４ｍｍ〜約５ｍｍ上方に高さが立ち上がり、この地点で、安定器は、約１．５ｍｍ〜約３ｍｍだけ延びる、より長い長さまで延び、このため、安定器は孔３８０の上に突出する。
【００４４】
安定器３０２それぞれの長さは、同じであってよく、または、長さがさまざまであってもよい。一実施形態では、すべての安定器３０２は、およそ同じ長さである。別の実施形態では、安定器３０２は、孔３８０の周囲の場所に応じて、長さが異なっている。この長さの変動は、孔３８０が楕円形であるか、矩形であるか、または別の形状である場合に特に重要である。
【００４５】
一実施形態では、各安定器３０２は、垂直ブレードを含む。垂直ブレードは、ブレードの最短長さの約５分の１〜約２分の１である幅を有する、中実の実質的に平坦な面である。好ましくは、垂直ブレードの幅は、約１．２ｍｍ〜約２．５ｍｍ、より好ましくは約１．５ｍｍ〜約２ｍｍである。ブレードの上縁は、丸みを帯びているか、面取りされているか、または別様に傾斜して、ざらざらした縁を防ぎ、ブレードの製造可能性を改善し、ブレード縁を包み得るリップバーム９０などの組成物に物理的安定性を与えることができる。傾斜することは、リップバーム塗布具５０を使用した場合に消費者の唇がブレード縁に接触した場合、例えば、リップバーム９０の高さが使用できない高さに近い場合に、より滑らかな縁を提供することもできる。
【００４６】
一実施形態では、少なくとも１つの安定器３０２が、（図１０に示す）水平フィンを有する垂直ブレード３０８である。垂直ブレードは、孔３８０の上に張り出す延長セクションが、その延長セクションへと成型される平坦な水平フィンまたはウィングを有することを除き、前述したものと同様である。一実施形態では、水平フィンは、延長セクションの下部セクションへと成形され、水平フィンは、好ましくは、延長セクションの高さの約３分の１〜約２分の１の高さまで立ち上がる。好ましくは、水平フィンは、これが上に張り出している孔３８０の湾曲がある場合、この湾曲に適合するよう縦に湾曲している。
【００４７】
別の実施形態では、複数の安定器３０２は、垂直ブレード３０７と、水平フィン付き垂直ブレード３０８との組み合わせからなる。好ましくは、複数の安定器３０２は、垂直ブレード３０７と、水平フィン付き垂直ブレード３０８とが交互になった、偶数の安定器３０２からなる。安定器３０２のタイプを交互にすることで、リップバーム塗布具５０内のリップバーム９０に位置安定性の増大をもたらし、それは、この構成が、所与の周辺に設置され得る垂直方向および水平方向両方の安定性を有する安定器３０２の数を増大させるためである。安定器３０２の垂直セクションは、リップバーム９０が回転に耐えるように、水平方向の安定性を提供する。安定器３０２の水平セクションは、リップバーム９０が、反転された場合に仕切り３７０から落ちるなどの垂直方向の運動に耐えるように、垂直方向の安定性を与える。
【００４８】
含まれる安定器３０２の数は、基部３００のサイズおよび使用される安定器３０２のタイプによって決定される。例えば、水平フィン付き垂直ブレード３０８が含まれない場合、より多くの垂直ブレード３０７が使用され得る。水平フィン付き垂直ブレード３０８のみが含まれる場合、より少ないブレードが狭い領域内部に収まる。安定器３０２の典型的な数は、２、３、４、５、６、７、８、９、または１０であるが、より多いかまたは少ない安定器３０２が使用され得る。好ましい実施形態では、６つの安定器３０２が含まれる。最も好ましくは、３つの垂直ブレード３０７と、３つの水平フィン付き垂直ブレード３０８と、が使用され、交互に配列され、すなわち、垂直ブレード３０７が、水平フィン付き垂直ブレード３０８に隣接して位置づけられることが、合計６つの安定器３０２について２回以上反復されている。
【００４９】
基部３００は、具体的には、リップバーム組成物を保持するための取り外し可能な構造体を含まない。本発明の基部３００に一体化された複数の安定器３０２は、リップバーム塗布具内に存在する任意のリップバーム組成物に位置安定性をもたらすものであるが、基部３００から取り外し可能ではない。
【００５０】
キャップ係合組立体、ライナー係合組立体、または基部係合組立体３１５に使用される係合組立体のタイプは、任意のタイプの係合組立体であってよい。例示的な係合組立体は、圧力嵌め、圧迫嵌め（press-on fit）、または締まり嵌めとも呼ばれる摩擦嵌め；音波もしくは超音波溶接、スピン溶接、振動溶接、熱板溶接、またはレーザー溶接などの溶接嵌め（welding fit）；接着；リベット打ち；支柱およびスリット、突起および穴、などといった係合組立体を構成するスナップ嵌め；あるいは、ねじ山の相互係合を含むねじ嵌めまたは任意の嵌め合いを含むが、これらに制限されない。本発明の基部３００の係合をもたらすため、基部係合組立体３１５は、両方の基部３００が、相補的ではなく同等でなければならない。
【００５１】
一実施形態では、ライナー係合組立体は、基部係合組立体３１５と同じタイプの係合可能性を提供することができる。別の実施形態では、ライナー係合組立体は、基部係合組立体３１５とは別のタイプの係合可能性を提供する。例えば、基部係合組立体３１５は、ライナー係合組立体がねじ式係合である場合に摩擦嵌め係合であってよく、このねじ式係合は、ライナー２００および基部３００上のねじ山の係合を通じたものである。別の実施例として、基部係合組立体３１５は、ライナー係合組立体がライナー２００と基部３００との間の摩擦嵌め係合である場合に、突起と穴との係合を通じたスナップ嵌め係合であってよい。２つの異なるタイプの係合可能性を有することは、基部係合組立体３１５を係合解除しようとした場合にライナー係合組立体が係合解除されるリスク、またはその逆、すなわち、ライナー係合組立体を係合解除しようとした場合に基部係合組立体３１５が係合解除されるリスクを減少させる。
【００５２】
一実施形態では、基部係合組立体３１５は、スナップ嵌めである。好ましい実施形態では、スナップ嵌めは、（図９に示す）少なくとも１つの突起を有する少なくとも１つのタブ３１６と、（図９に示す）少なくとも１つの穴を有する少なくとも１つのタブ３１８と、からなり、第１の基部３００上の（図９に示す）少なくとも１つの突起３１７は、第２の基部３００上の（図９に示す）少なくとも１つの穴３１９と整列する。穴３１９は、対応する基部３００上の突起３１７が穴３１９に容易に入って、消費者による取り付けを容易にすることができるよう十分幅広くなるように、わずかに細長い。しかし、穴３１９は、小さい力を加えることなく、突起３１７を穴３１９からスライドさせて出すほど広くはない。係合解除のために小さい力を必要とすることは、消費者が２つの基部３００を係合解除させたいと望むときまで２つの基部３００が係合したままであることを確実にし、それによって、消費者のポケットまたはハンドバッグの中で係合解除するリスクを減少させる。突起３１７および穴３１９の場所は、タブ上で最適化されて、製造中に基部型からの最も有効な解放を提供し、また、消費者による解放可能性の容易さのため最適な可撓性を提供する。
【００５３】
別の好ましい実施形態では、スナップ嵌め基部係合組立体３１５は、少なくとも１つの突起をそれぞれ有する２つのタブ３１６と、少なくとも１つの穴をそれぞれ有する２つの追加のタブ３１８と、からなる。別の好ましい実施形態では、スナップ嵌めは、少なくとも１つの突起を有する２つのタブ３１６からなり、これらのタブはそれぞれ、２つの突起３１７を有し、スナップ嵌めは、さらに、少なくとも１つの穴を有する２つの追加のタブ３１８からなり、これらの追加のタブはそれぞれ、２つの穴３１９を有する。明確にするために、この好ましいスナップ嵌めは、４つのタブ：すなわち、それぞれが２つの突起３１７を有する２つのタブと、それぞれが２つの穴を有する２つの追加のタブ３１８と、からなる。別の好ましい実施形態では、４つのタブを備えたスナップ嵌めは、交互のタブを有する：すなわち、少なくとも１つの突起３１７を備えた１つのタブが、少なくとも１つの穴を備えたタブ３１８に隣接し、これが少なくとも１つの突起３１７を備えた別のタブに隣接し、これが少なくとも１つの穴を備えた別のタブ３１８に隣接している。
【００５４】
一実施形態では、第１のライナー係合組立体２６５および第２のライナー係合組立体３６５が、ねじ嵌めを形成する。この実施形態では、上方基部セクション外壁３２０および下方ライナー内部２５１は、円形でなくてはならない。好ましい実施形態では、第１のライナー係合組立体２６５および第２のライナー係合組立体３６５は、ねじ嵌めを形成する、相補的な斜面である。ライナー係合組立体の選択は、リップバーム９０がリップバーム塗布具５０内に存在する場合に特に重要である。ねじ嵌め係合組立体は、開けるのに、十分な力に加え回転を必要とする、複雑な係合である。これは、係合組立体が偶発的に開くことからリップバーム９０を保護するための、有利な係合である。好ましい実施形態では、基部３００へのライナー２００の係合のために１８０°の回転をもたらすねじ嵌めライナー係合組立体が使用される。これは、３６０°の回転をしばしば必要とする他の係合タイプ、または回転停止部を有していない他のものに比べて、有利である。
【００５５】
別の実施形態では、上方基部セクション外壁３２０は、少なくとも１つの傾斜部２７２と、少なくとも１つのくぼみ２７１と、少なくとも１つのくさび２７３と、を含み、下方ライナー内部２５１は、少なくとも１つのピン２６７を含む。この実施形態では、少なくとも１つのピン２６７は、少なくとも１つのくぼみ２７１と整列し、少なくとも１つのくさび２７３は、ライナー２００が回転するのを阻止する。好ましい実施形態では、上方基部セクション外壁３２０は、２つの傾斜部２７２と、２つのくぼみ２７１と、２つのくさび２７３と、を含み、下方ライナー内部２５１は、２つのピン２６７を含み、各ピン２６７は、くぼみ２７１と整列し、各くさび２７３は、ライナー２００が回転するのを阻止する。
【００５６】
一実施形態では、第１のキャップ係合組立体１５５および第２のキャップ係合組立体２５５は、スナップ嵌めを形成する。好ましい実施形態では、第１のキャップ係合組立体１５５は、下方キャップ内部１５１上に（図３に示す）少なくとも１つの歯１５７を含み、第２のキャップ係合組立体２５５は、ライナー周辺部２５４上に（図６に示す）少なくとも１つの切り欠き２５８を含み、少なくとも１つの歯１５７および少なくとも１つの切り欠き２５８は整列してスナップ嵌めを形成する。別の好ましい実施形態では、第１のキャップ係合組立体１５５は、下方キャップ内部１５１上に４つの歯１５７を含み、第２のキャップ係合組立体２５５は、ライナー周辺部２５４上に４つの切り欠き２５８を含み、各歯１５７は各切り欠き２５８と整列してスナップ嵌めを形成する。好ましくは、キャップ１００およびライナー２００は、最初の係合が行われた後で、持続的にそれらの係合を維持する。
【００５７】
キャップ１００、ライナー２００、または基部３００はそれぞれが独立して、または任意の組み合わせで、透明、半透明、または不透明であってよい。それぞれが、白色もしくは黒色を含む単色、または任意のパターンの色の組み合わせを含んでよく、あるいは、無色であってよい。
【００５８】
本発明のリップバーム塗布具５０の一実施形態では、キャップ１００またはライナー２００は透明である。別の実施形態では、キャップ１００およびライナー２００は透明である。別の実施形態では、ライナー２００は透明かつ無色であり、キャップ１００は透明かつ色付きであり、基部３００は色付きかつ不透明である。ライナー２００およびキャップ１００は個別の構成要素であるので、この色と透明性との組み合わせは、塗布具５０に含まれ得るリップバーム９０を、塗布具５０の外側から見えるようにすることができる。これは、購入前に消費者がリップバーム９０を調べることを可能にする点で有利である。リップバーム９０が着色料または他の視覚的調節剤（visual modifier）を含有する場合、消費者は、リップバーム９０をより良く思い浮かべることができる。キャップ１００の色は、リップバーム９０に含まれる任意の着色料または風味料に合わせてもよく、例えば、紫色のキャップ１００がブドウの風味を示すことができる。
【００５９】
２構成要素のキャップ１００およびライナー２００のシステムによりもたらされる追加の利点は、より少ない材料が構成要素の製造に使用されることである。ライナー２００およびキャップ１００は、第１のキャップ係合組立体１５５および第２のキャップ係合組立体２５５の場所で触れるのみであり、よって、エアギャップが、ライナー外部２２０と上方キャップ内部１５２との間に存在する。いかなる充填剤もエアギャップ内で使用されず、このことはまた、充填剤が含まれた場合、またはキャップ１００およびライナー２００が単一の構成要素である場合よりも、リップバーム塗布具５０の重さを軽くする。
【００６０】
仕切り３７０内の孔３８０は、リップバーム９０などの組成物を通過させてリップバーム塗布具５０またはその構成要素、例えば、係合されるライナー２００および基部３００を充填することができる、開口部を提供するために含まれる。孔３８０は、その孔３８０を通して組成物を移すことができるのに十分な任意のサイズであってよい。しかしながら、孔３８０を最小にし、リップバーム塗布具５０内で使用される組成物を汚染することになる、孔３８０への汚染物質の侵入を防ぐことが、有利である。孔３８０は、任意の形状であってよく、仕切り３７０上の任意の場所にあってよい。一実施形態では、孔３８０は円形である。別の実施形態では、孔３８０は、仕切り３７０の中央に位置している。好ましくは、孔３８０は、仕切り３７０の中央に位置する円形の穴である。
【００６１】
孔３８０は、特にリップバーム９０の組成物がリップバーム塗布具５０またはその構成要素に充填された後で、覆われてよい。外被３８５は、外被３８５が孔３８０を閉じるという意図された目的を満たす限り、任意のサイズまたは形状であってよい。外被３８５に関連する費用を最小にするため、外被３８５のサイズおよび形状は、形状が、孔３８０の形状と同じかまたは類似していて、サイズが、孔３８０よりわずかに大きいが、孔３８０を覆うよう所定の場所にとどまるのに十分大きくなくてはならない。外被３８５は、紙、ボール紙、もしくは他のセルロース；ビニル、ニトリル、ポリエチレン、ポリプロピレン、もしくは他のプラスチック；綿、革、ポリエステル、ナイロン、もしくは他の布；ゼラチン、ケラチン、もしくは他のタンパク質；キトサン；キチン；アルジネート、もしくは他の多糖類もしくは糖；ゴム；生ゴム；ガラスもしくはセラミック；蝋；箔もしくは他の金属；または任意の他の適切な材料、またはこれらの組み合わせを含むがこれらに限定されない、任意の材料で構成され得る。外被３８５は、天然であるか、または合成であるか、またはその組み合わせであってよい。好ましくは、外被３８５の材料は、その材料が、リップバーム塗布具５０またはその構成要素に充填された任意の組成物に任意の時点で物理的に接触する場合に、その組成物と化学的に相互作用しない。外被３８５は、接着剤、熱溶着、締め付け、スタンピング、クリンピング、孔３８０を通じた挿入などを含む、任意の適切な手段によって、仕切り３７０に接着されるか、または取り付けられ得る。一実施形態では、外被３８５は紙である。別の実施形態では、外被３８５は金属箔である。別の実施形態では、外被３８５はプラスチックである。好ましい実施形態では、外被３８５はポリプロピレンである。別の好ましい実施形態では、外被３８５は、孔３８０よりわずかに大きいポリプロピレンフィルムカバーであり、このカバーは、食品グレードの接着剤により、仕切り底部３７６に取り付けられる。
【００６２】
本発明のリップバーム塗布具５０は、図２に示すようなリップバーム９０をさらに含み得る。リップバーム９０は半固体である。好ましい実施形態では、本発明のリップバームは、４５℃超の融点を有する半固体である。より好ましくは、リップバームは、５０℃超の融点を有する半固体である。最も好ましくは、リップバームは、５２℃以上の融点を有する半固体である。本発明のリップバームは、約４０℃より低い、より好ましくは約３５℃より低い、より好ましくは約３０℃より低い、最も好ましくは約２５℃以下の、温度で保管されなければならない。本発明のリップバームはまた、過度の熱への曝露を避けなければならず、直射日光が当たるところに保管されてはならない。このような措置を講じることにより、消費者は、半固体のリップバームを液化させるのを防ぐことができる。
【００６３】
半固体のリップバームに対する大きな懸念は、半固体が液化する、極めて高い温度への偶発的な曝露である。リップバームの融点によっては、リップバームが、暑い天候の時期の車の中など、極めて暑い場所に保管されている場合、または別様に衣類乾燥機の中の温度など、過度な温度に曝露された場合に、溶融が起こり得る。この場合、半固体は、溶融して、その入れ物の最も下の位置へと移動する。温度が低下すると、リップバームは所定の場所で凝結する。入れ物のタイプ、およびこのサイクル中のその位置的向き（例えば、直立、反転、傾斜など）によっては、リップバームは、リップバームの使用可能な表面より下の場所で、再凝結し得る。
【００６４】
この溶融および再凝結サイクルが本発明のリップバーム塗布具５０で起こると、リップバーム９０は、大部分が、リップバーム塗布具の使用可能な高さで収容される。しかしながら、本発明のリップバーム塗布具５０のように構成されていないリップバームの入れ物は、加熱された温度でリップバームの移転を防ぐことができない。リップバームが直立または傾斜した向きで溶融すると、リップバームは、入れ物の最も下のセクションにたまる。支持プラットホームより下の任意のセクションは、消費者によって到達され得ないので、再凝固した後であっても使用することができない。入れ物は、リップバームを取り出すために分解されなければならないか、または、リップバームは、再溶融されなければならない。
【００６５】
本発明のリップバーム９０は、保湿剤、風味料、甘味料、着色料、薬品、日焼け止め、矯味剤、センセート（sensates）、酸化防止剤、保存料、およびそれらの組み合わせからなる群から選択される少なくとも１つの成分を含み得る。
【００６６】
本発明のリップバーム９０は、閉塞物質（occlusive）、皮膚軟化剤、保水剤、またはそれらの組み合わせなど、少なくとも１つの保湿剤を含み得る。例示的な保湿剤は、ペトロラタム；ラノリンおよびラノリン誘導体；セチルアルコール、ステアリルアルコール、オレイルアルコール；種子油などの植物油；鉱物油；植物バターなどのバター；蜜蝋、カルナウバ蝋、カンデリラ蝋、パラフィン蝋、晒蜜蝋、もしくは微結晶蝋などの蝋；オゾケライト；グリセリン；プロピレングリコール；尿素；乳酸などのα−ヒドロキシ酸；ホホバエステル；セラミド；コラーゲン、ケラチン、エラスチン；またはそれらの組み合わせを含むが、これらに制限されない。
【００６７】
リップバームは、単一の風味または風味の組み合わせであってよい、少なくとも１つの風味料を含有し得る。風味料は、天然産物、合成風味料、またはそれらの組み合わせから得ることができる。風味料は、典型的には約０．１％〜５％の量で使用される。
【００６８】
オプションとして、スクラロース、サッカリン、アスパルテーム、ステビア、またはそれらの組み合わせなどの甘味料が、概して約０．０１％〜約０．１％の量で、リップバーム９０に含まれ得る。
【００６９】
１つまたは複数の着色料が、リップバーム９０に含まれ得る。着色料は、例えば、植物抽出物、雲母もしくは酸化物を含む天然鉱物、またはカルミンを含み得る。
リップバーム９０は、メントール、樟脳、ユーカリ、サリチル酸、サリチル酸の誘導体、アラントイン、ベンゾカイン、フェノール、およびプラモキシン、またはそれらの組み合わせを含むがこれらに制限されない薬品を含み得る。いくつかの実施形態では、ペトロラタムまたはジメチコンまたはその両方が、薬品の利益ももたらし得る。前述のリストは薬品の網羅的なリストではなく、当業者は、他の薬品の使用を検討するかもしれない。典型的には、薬品目的でのみ添加される薬品は、約３％未満の量で添加される。量は、薬品の効能および薬品が提示される母体によって、さまざまであってよい。
【００７０】
１つまたは複数の日焼け止めが、ＵＶＡ照射、ＵＶＢ照射、またはその両方から唇を保護するためにリップバーム９０に含まれ得る。代表的な有機日焼け止めは、アミノ安息香酸、アボベンゾン、シノキセート、ホモサラート、メラジマート、オクトクリレン、オキシベンゾン、オクチノキサート、オクチサレート、パディメートＯ、エンスリゾール、スルイソベンゾン、およびトロラミンサリチル塩を含むがこれらに制限されず、代表的な無機日焼け止めは、酸化亜鉛および二酸化チタンを含むがこれらに制限されない。
【００７１】
クモ状エステル（spider ester）などの少なくとも１つの矯味剤が、リップバーム９０に含まれ得る。
センセートは、例えば皮膚および／または唇と接触したときに、加熱または冷却などの感覚認知を開始させる組成物である。リップバーム９０に含まれ得る例示的なセンセートは、ミント抽出物、シナモン抽出物、およびカプサイシンを含む。
【００７２】
酸化防止剤は、酸化（例えば、臭くなること）からリップバーム９０を保護し、かつ／または唇に塗布した際に、老化した容貌を軽減し、小じわおよび／もしくはしわを少なくとも一時的に見えにくくするなど、唇の調子を整える利点を提供することができる。代表的な酸化防止剤は、トコフェロール、酢酸トコフェロール、コエンザイムＱ１０（ユビキノン）、ヒアルロン酸、ヒアルロン酸塩およびヒアルロン酸の誘導体、スピランテス属の花（spilanthes flower）、いくつかの植物バターおよび緑茶抽出物を含む。リップバーム９０中の酸化防止剤は、典型的には約３％未満、あるいは約２％未満、あるいは約１％未満である。
【００７３】
保存料が、抗菌保護をもたらすために添加され得る。適切な保存料は、パラベン、パラベンの混合物、イミダゾリジニル尿素、ジアゾリジニル尿素、およびそれらの混合物、または当技術分野で既知の他の保存料を含み得る。保存料の総量は、好ましくは１％未満、あるいは０．５％未満、あるいは０．２％未満である。
【００７４】
本発明は、本発明の２つのリップバーム塗布具５０からなる図１Ａに示すリップバーム容器６０を提供し、２つのリップバーム塗布具５０は、各リップバーム塗布具５０の基部係合組立体３１５を介して係合されている。リップバーム容器６０を構成するリップバーム塗布具５０は、本明細書に記載される任意の実施形態または配列であってよい。
【００７５】
好ましい実施形態では、リップバーム容器６０は、２つのリップバーム塗布具５０からなり、リップバーム塗布具５０はそれぞれ、丸みを帯びた縁を備えて緯度の方向にわずかに湾曲している４つの同等の側面１２１であって、側面１２１は、基部周辺部３５４がキャップ上部周辺部１０４よりわずかに大きくなるように長手方向外側に湾曲しており、キャップ上部１０１がキャップ平坦縁１０２からへこんでいる、側面１２１と、２つの突起をそれぞれが有する２つのタブ３１６および２つの穴をそれぞれが有する２つの追加のタブ３１８からなるスナップ嵌め基部係合組立体３１５を有する基部３００と、を有する。この好ましいリップバーム容器６０は、バレル形状である。
【００７６】
スナップ嵌め基部係合組立体３１５が２つの突起をそれぞれが有する２つのタブ３１６および２つの穴をそれぞれが有する２つの追加のタブ３１８からなる場合、２つの同等の基部３００を係合解除させる技術は、２つの構成要素を下方運動で曲げることを必要とする。この動きは、割れた卵の２つの端部を引き離し、卵の部分を卵の殻の各半部に保持する場合に使用される動きに類似している。ここで、各端部は、反対方向に回転され；右側端部は時計回りに回転され、左側端部は反時計回りに回転されて、２つの上部は、下で向き合うまで互いに向かって回転される。これは、２つの端部が一直線にそれぞれ反対の方向に引き離される係合解除技術とは異なる。回転して曲げることが必要とされることにより、いくつかの他の係合組立体で必要とされるよりも計画的な２つのリップバーム塗布具５０の係合解除方法を提供する。
【００７７】
リップバーム容器６０は、２つのリップバーム塗布具５０からなるので、デュアルエンド型となる。この構成では、消費者は、典型的には一度に１つのリップバーム塗布具５０を使用し、反対側のリップバーム塗布具５０は閉じられるか、または覆われたままにし、すなわち、キャップ１００およびライナー２００が基部３００に係合されている。この閉じられたリップバーム塗布具５０は、開いているリップバーム塗布具５０を使用するためのハンドルとして役立ち得る。リップバーム塗布具５０を保持するための追加の構成要素は必要ないので、製造費用を減少させる。
【００７８】
本発明は、本明細書に記載されるような本発明のライナーおよび基部３００を含むリップバームディスペンサーを提供する。リップバームディスペンサーの基部３００は、３〜６つの側面を有する。ライナーおよび基部３００は、本明細書に記載される任意の実施形態または配列であってよい。リップバームディスペンサーは、オプションとしてリップバーム９０または外被３８５、またはその両方を有し得る。リップバームディスペンサーは、キャップがなくてもよく、または、任意の構造体によって包まれてよく、ただし、本発明のキャップ１００によっては包まれ得ない。リップバームディスペンサーが本発明のキャップ１００を含まないことを考慮すると、ライナーは、リップバーム塗布具について説明されたライナー２００の第２のキャップ係合組立体２５５のようなキャップ係合組立体を有し得る；しかしながら、これは、リップバームディスペンサーのライナーのための必須要素ではない。リップバームディスペンサーのためのライナーの他の要素すべてが、リップバーム塗布具のライナー２００と同じである。明確にするために、本明細書に記載されるリップバームディスペンサーのライナーは、ドーム状の上方ライナーセクション２０１と；ライナー周辺部２５４を備えた下方ライナーセクション２１１と；ライナー外部２２０と；下方ライナー内部２５１および上方ライナー内部２５２を有するライナー内部２５０と；下方ライナー内部２５１上の第１のライナー係合組立体２６５と；を含み、オプションとして、第２のキャップ係合組立体２５５のようなキャップ係合組立体または任意の他のキャップ係合組立体をさらに有し得る。
【００７９】
リップバーム９０は、半固体の物理的状態の組成物である。これは、溶融液体混合物として調製され、型の中に移されて、溶融混合物が冷却されて半固体状態になるとドーム形状のリップバーム９０を形成することができる。
【００８０】
本発明は、本発明のライナーおよび基部３００を含むリップバーム用型を提供し、ライナーおよび基部３００は、第１および第２のライナー係合組立体３６５によって係合され、反転されることによって、仕切り下部３７６が上を向き、ライナーが下を向く。別の実施形態では、リップバーム用型は、本発明のキャップ１００をさらに含む。よって、溶融液体混合物がいったん冷却されるとドーム状のリップバーム９０を形成するように移される型は、リップバーム塗布具５０全体、または代わりに、本発明のリップバーム塗布具５０の構成要素であるライナーおよび基部３００であってよい。しかしながら、前述したリップバームディスペンサーのように、リップバーム用型のライナーは、前述したライナー２００の第２のキャップ係合組立体２５５のようなキャップ係合組立体を有し得るが、これはリップバーム用型のライナーのための必須要素ではない。リップバーム用型のためのライナーの他の要素はすべて、リップバーム塗布具のライナー２００と同じである。明確にするために、本明細書に記載されるリップバーム用型のライナーは、ドーム状の上方ライナーセクション２０１と；ライナー周辺部２５４を備えた下方ライナーセクション２１１と；ライナー外部２２０と；下方ライナー内部２５１および上方ライナー内部２５２を有するライナー内部２５０と；下方ライナー内部２５１上の第１のライナー係合組立体２６５と、を含み、オプションとして、第２のキャップ係合組立体２５５のようなキャップ係合組立体または任意の他のキャップ係合組立体をさらに有し得る。
【００８１】
本発明は、リップバーム用型を充填する方法を提供し、この方法は、溶融リップバーム組成物を、仕切り３７０の孔３８０を通じて、仕切り上部３７１に近づくが仕切り上部３７１に触れない充填高さまで、リップバーム用型の中に移すステップを含む。型を充填するのに使用される反転位置では、仕切り上部３７１は下を向き、安定器３０２は、仕切り上部３７１から現れて垂直方向に下を向くことに注意されたい。仕切り上部３７１よりわずかに低く充填すると、エアポケットが仕切り上部３７１と溶融リップバーム組成物の上面との間に残り、それによって、各安定器３０２が仕切り上部３７１から現れる位置がリップバーム組成物に浸からず、リップバーム組成物により囲まれもせず、リップバーム９０は、安定器３０２が仕切り上部３７１から現れる地点には存在しない。典型的には、エアポケットの厚さは、約０．５ｍｍ、約１ｍｍ、約１．５ｍｍ、約２ｍｍ、約２．５ｍｍ、約３ｍｍ、約３．５ｍｍ、約４ｍｍ、約４．５ｍｍ、約５ｍｍ、約５．５ｍｍ、約６ｍｍ、約６．５ｍｍ、または約７ｍｍ、またはこれらの厚さのうちの任意の２つの間の範囲である。好ましい実施形態では、このエアポケットは、約１ｍｍ〜約５ｍｍの厚さである。より好ましくは、このエアポケットは、約１．５ｍｍ〜約４ｍｍの厚さである。
【００８２】
ライナーは充填貯蔵器として役立つので、追加の型が必要なく、製造費用を減少させる。さらに、リップバーム９０を充填用型から取り外してリップバーム塗布具５０に入れるのに、追加の工程は必要でない。
【００８３】
本発明は、ドーム状のリップバーム９０を製造する方法を提供し、この方法は、リップバーム９０の溶融組成物を形成するステップを含む。溶融組成物は、仕切り３７０内の孔３８０を通じて、仕切り上部３７１に近づくが仕切り上部３７１に触れない充填高さまで、ドーム状のリップバーム用型の中に充填され、その後、ドーム状のリップバーム９０を形成するのに十分な温度まで冷却される。前述したように、仕切り上部３７１よりわずかに低く充填すると、エアポケットが仕切り上部３７１と溶融リップバーム組成物の上面との間に残り、それによって、各安定器３０２が仕切り上部３７１から現れる位置がリップバーム組成物に浸からず、リップバーム組成物により囲まれもせず、リップバーム９０は、安定器３０２が仕切り上部３７１から現れる地点には存在しない。典型的には、エアポケットの厚さは、約０．５ｍｍ、約１ｍｍ、約１．５ｍｍ、約２ｍｍ、約２．５ｍｍ、約３ｍｍ、約３．５ｍｍ、約４ｍｍ、約４．５ｍｍ、約５ｍｍ、約５．５ｍｍ、約６ｍｍ、約６．５ｍｍ、または約７ｍｍ、またはこれらの厚さのうちの任意の２つの間の範囲である。好ましい実施形態では、このエアポケットは、約１ｍｍ〜約５ｍｍの厚さである。より好ましくは、このエアポケットは、約１．５ｍｍ〜約４ｍｍの厚さである。ドーム状のリップバーム９０は、人間の体温よりも温かい温度では半固体でなければならない。溶融組成物は、周囲温度で徐々に冷却されることが許されるか、または冷蔵、衝撃冷却、もしくは任意の他の冷却技術によって明白に冷却され得る。
【００８４】
本発明のリップバーム用型を充填する方法およびドーム状のリップバーム９０を製造する方法を用いると、充填物（fill）が仕切り上部３７１に触れず、仕切り上部３７１を通って延びないので、リップバームの消耗が減少される。これは、他のドーム状のリップバームホルダーがこの消耗を防ぐように構成されていないので、消費者にとって有利である。
【００８５】
「ドーム状の」とは、湾曲しているか、または丸みを帯びていることを意味する。ドーム状の物体は、半球のように成形され得るが、用語「ドーム状の」は、球形表面に限定されず、例えば、卵形または楕円形であってもよい。
【００８６】
「ブレード」は、材料の、薄く平坦な固体片である。
「丸みを帯びた」とは、湾曲しているか、または肉付けされている（filleted）ことを意味し、角を形成するものではない。「丸みを帯びた正方形」は、互いから９０°の角度にある、等しい長さの４つの辺を有し、急な屈曲部とは対照的に辺の間の９０°の角度が弧全体に生じるように、曲線によって滑らかになった角を有している。
【００８７】
「側面」とは、直立位置に置かれたときの、キャップ１００、基部３００、リップバーム塗布具５０、またはリップバーム容器６０の、最も外側の垂直なセクションを指す。側面１２１は、２つの側面１２１が合流する角である「縁」において互いに接合する。明確にするために、側面１２１は、上部、すなわちキャップ上部１０１は指さず、リップバーム塗布具５０、リップバーム容器６０、または基部３００の下部も指さない。よって、「四角の」、「正方形」または「丸みを帯びた正方形」は、キャップ上部１０１で下側を見た二次元図を指し、上部および下部は側面ではない。
【００８８】
「長手方向に」とは、上から下の、縦を意味する。「緯度の方向に」とは、左右の、横を意味する。
「交互に」とは、交互パターンで生じ、互いに繰り返し入れ替えられることを意味する。
【００８９】
「位置安定性」とは、物体が、置かれる場所および向きを維持する傾向を有することを意味する。
「相補的な」は、構成が異なるが、組み合わせられて、完成したユニット、例えば対応物を形成する、物体を指す。
【００９０】
本明細書で使用される「同等な」とは、必須構成要素が同じ一般的形状または構成を有するが、オプションの構成要素が異なり得ることを意味する。さらに、内部構成要素の色、透明さ、手触り、長さ、幅、厚さなどのサイズなどといった、属性が、２つの同等のアイテム間で異なっていてよい。例えば、２つの同等のリップバーム塗布具はそれぞれ、本明細書に記載されるようなキャップと、ライナーと、基部と、を有するが、一方が、透明な紫色のキャップと、透明なピンクのライナーと、半透明の青い基部を備えて、オプションのリップバームおよび外被を有してもよく、もう一方が、透明な無色のキャップと、透明な黄色のライナーと、不透明な白い基部を備えて、リップバームまたは外被がなくてもよい。この実施例では、リップバーム塗布具の属性およびオプションの構成要素はさまざまであるが、必須構成要素は同じであり、よって、リップバーム塗布具は同等である。
【００９１】
本発明では、用語「バレル形状の」とは、バレルのように成形されていること、すなわち、形状が概ね円筒形であることを意味するが、ただし、上部および下部は円形ではなく、３〜６つの側面を有する多角形であり、これらの側面はわずかに湾曲して長手方向中央が膨らんで見え、個々の側面はそれぞれ、側面が隣接する２つの側面と共有している丸みを帯びた縁に向かって緯度の方向に最小限に湾曲しており、バレル形状の上部および下部は、互いに平行であり、周辺部の周りに平坦な縁を有する。
【００９２】
「くさび」は、ブロックまたは停止部であり、物体が前方に動くのを防ぐため、物体がこれに接して置かれる。
「半固体」は、約２０℃〜約４０℃の温度範囲における物質の物理的状態を指す。半固体は、周囲温度では注ぐことはできず、そのような温度では、流れず、入れ物の形状に一致しない。半固体の剤形は、柔らかな固体粘稠度を有する。半固体の溶融を防ぐため、過度な温度、特に半固体の融点を上回る温度での、半固体の使用、保管、および／または曝露を防ぐための措置がとられなければならない。
【００９３】
「リップバーム」は、保護特性または保湿特性、またはその両方を有する、唇に塗布される半固体組成物である。「ドーム状のリップバーム」は、典型的にはリップバームをホルダー内に後退させずにホルダーから直接分配される、ドーム状の形状へと形成されたリップバームである。リップバームのドーム状の形状は、唇へのリップバームの容易な送り出しを可能にする。ドーム状のリップバームは、スティックのリップバーム製品よりも幅広く、よって、塗るときにあまり正確性を必要としない。
【００９４】
「バター」または「植物バター」は、皮膚軟化特性および人間の体温に近い融点を有することにより特徴づけられる、植物の果実および／または種子の半固体抽出物である。
用語「ペトロラタム」は、ワセリンを指し、これは、蒸留における中間生成物として石油から得られたパラフィンまたはメタン系の炭化水素の、より柔らかい要素の混合物である。ペトロラタムは、典型的には、人間の皮膚に塗布された際に緩和するものとして認識されている。
【００９５】
「使用可能なリップバーム」は、リップバーム材料に到達するためにもともとリップバーム材料を保持していた部分を分解する必要なく、または、リップバーム材料を注ぎ出す（リップバーム材料を「壺から出す（de-potting）」）ためにリップバーム材料を溶融させる必要なく、リップバーム材料を塗布するためにリップバームの入れ物を消費者が使用し続けることができるよう、リップバームの入れ物内の場所にとどまるリップバーム材料の部分を指す。
【００９６】
用語「約」または「およそ」とは、当業者により決定されたとおりに特定された、あるパラメータの許容可能な範囲内を意味し、この許容可能な範囲は、一部には、値がどのように測定または決定されたか、すなわち、測定システムの限界によって決まる。例えば、「約」は、所与の値の１０％までの範囲を意味し得る。
【００９７】
本明細書で使用される「パーセント」または「％」は、特に指定のない限り、組成物全体の重量でのパーセンテージを指す。
本発明は、以下の例示的な実施例によってさらに説明される。これらの実施例は、本発明の概念の範囲内でリップバーム塗布具５０の分析を説明する；しかしながら、本発明は、これらの実施例によって制限されるものではない。本発明の概念の範囲内の追加の変形形態が、設計者、技師、または科学者には明らかであり、それらの準備または構成は、当業者の能力の範囲内である。
【実施例１】
【００９８】
本発明のリップバーム塗布具５０の１つの利点は、現在市販されている２つのドーム状のリップバーム製品に比べた、使用可能な製品のパーセンテージである。本発明のリップバーム塗布具５０は、溶融液体リップバーム組成物で、目標の商業的な充填容量まで充填され、半固体状態へと冷却される。リップバームで充填されたリップバーム塗布具の平均包装重量は、３つの異なるリップバーム風味１０個ずつの３０個のサンプルを測定することにより、決定される。使用可能なリップバーム、すなわち、安定器３０２より上のドーム状のセクションが、各リップバーム塗布具から取り出され、リップバーム塗布具が再び計量され、その差が、使用可能なリップバームの重量である。空のリップバーム塗布具の平均重量が、すべてのリップバーム材料を取り出すことによって測定される。充填物全体の平均重量、すなわち平均の正味製品（net product）重量が、空のリップバーム塗布具の重量を、充填されたリップバーム塗布具の重量から減算することによって、計算される。使用可能な製品の平均パーセントは、使用可能な製品の平均重量を、リップバーム塗布具内に充填された正味製品の平均重量で割ることによって、計算される。
【００９９】
本質的に同じ処置が、実質的に球形のリップバームホルダー内のドーム状のリップバーム組成物（３つの異なる風味１０個ずつからなる３０個のサンプル）および立方体のリップバームホルダー内のドーム状のリップバーム組成物（３つの異なる風味１０個ずつからなる３０個のサンプル）の標準の商業的な充填容量について繰り返される。どちらの市販製品も、リップバームホルダー１個につき１つのリップバームからなり、本発明のデュアルエンド型リップバーム容器６０の１つのリップバーム塗布具と比較される。結果が表１に示される。
【０１００】
【表１】
2019506943.tif 000003
【０１０１】
これらのデータは、本発明のリップバーム塗布具が、２つの市販のドーム状のリップバーム製品と比べてわずかに高いパーセンテージの使用可能なリップバームを提供することを示す。
【０１０２】
本発明のリップバーム塗布具は、周囲温度、好ましくは約３０℃より低い、より好ましくは約２５℃以下の温度で、使用および保管されなければならない。しかしながら、消費者が偶発的にリップバーム塗布具を過度に高い温度に曝露した場合、本発明のリップバーム塗布具５０内で利用できる、使用可能なリップバームのパーセンテージは、開放タイプの支持機構を備えたリップバームホルダー内の使用可能なリップバームのパーセンテージより高いままであるはずである。その差を調べるため、極端な加熱および冷却サイクル実験が、本発明のリップバーム塗布具に対して行われ、前述したとおりの同じ市販のドーム状のリップバームホルダーと比較される。これらの実験は、各リップバームホルダーが直立の位置的向きに置かれた状態で行われ、各リップバームホルダーが横の位置的向きに置かれた状態で、すなわち、直立状態から９０°横向きにして、繰り返される。最初は、リップバームホルダーは、商業的な量のそれぞれのリップバーム組成物を収容する。各製品では、リップバームホルダーが、内側のドーム状のリップバームの融点を軽く超え、また、推奨される保管温度を軽く超える、７０℃という極端に高い温度まで加熱され、次に、冷却されて、リップバームホルダーを充填するのに使用される反転位置ではなく、直立位置または横位置でリップバームを再凝固させる。いったん凝結すると、３タイプのリップバームホルダーの、前述したのと本質的に同じ処置が、それぞれの入れ物のタイプについて、また各位置について、５つのサンプルを使用して、繰り返される。よって、この処置は、合計で５つの直立の測定値と５つの横の測定値とについて繰り返され、平均値が報告される。これらの結果は、直立位置の測定値については表２に、横位置の測定値については表３に示される。
【０１０３】
【表２】
2019506943.tif 000004
【０１０４】
これらのデータは、本発明のリップバーム塗布具が、２つの市販のドーム状のリップバーム製品と比べて、より高いパーセンテージの使用可能なリップバームを、直立位置の極端な加熱および冷却サイクル後に提供することを示している。
【０１０５】
【表３】
2019506943.tif 000005
【０１０６】
これらのデータは、本発明のリップバーム塗布具が、２つの市販のドーム状のリップバーム製品と比べて、より高いパーセンテージの使用可能なリップバームを、横位置の極端な加熱および冷却サイクル後に提供することを示している。
【図１Ａ】
2019506943.tif 000006
【図１Ｂ】
2019506943.tif 000007
【図２】
2019506943.tif 000008
【図３】
2019506943.tif 000009
【図４】
2019506943.tif 000010
【図５】
2019506943.tif 000011
【図６】
2019506943.tif 000012
【図７】
2019506943.tif 000013
【図８】
2019506943.tif 000014
【図９】
2019506943.tif 000015
【図１０】
2019506943.tif 000016
【図１１】
2019506943.tif 000017
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
リップバーム塗布具（５０）であって、
キャップ（１００）であって、
キャップ平坦縁（１０２）およびキャップ上部周辺部（１０４）を備えたキャップ上部（１０１）と、
キャップ外部（１２０）と、
下方キャップ内部（１５１）および上方キャップ内部（１５２）を有するキャップ内部（１５０）と、
前記キャップ内部（１５１）上の第１のキャップ係合組立体（１５５）と、
キャップ下部周辺部（１５４）と、を含み、
前記キャップ（１００）は、３〜６つの側面（１２１）を有する、キャップ（１００）と、
ライナー（２００）であって、
ドーム状の上方ライナーセクション（２０１）と、
第２のキャップ係合組立体（２５５）を含むライナー周辺部（２５４）を備える下方ライナーセクション（２１１）であって、前記第２のキャップ係合組立体（２５５）が前記第１のキャップ係合組立体（１５５）と整列し前記ライナー周辺部（２５４）を前記下方キャップ内部（１５１）と係合させる、下方ライナーセクション（２１１）と、
ライナー外部（２２０）と、
下方ライナー内部（２５１）および上方ライナー内部（２５２）を有するライナー内部（２５０）と、
前記下方ライナー内部（２５１）上の第１のライナー係合組立体（２６５）と、を含む、ライナー（２００）と、
基部（３００）であって、
基部上縁（３０９）を有する上方基部セクション（３０１）と、
下方基部セクション（３１１）と、
前記上方基部セクション（３０１）と前記下方基部セクション（３１１）とを分割し、前記キャップ下部周辺部（１５４）と整列する基部周辺部（３５４）まで延びる仕切り（３７０）であって、
前記仕切り（３７０）が、仕切り下部（３７６）および仕切り上部（３７１）を有し、前記仕切り上部（３７１）が、外側仕切り上部セクション（３７２）および内側仕切り上部セクション（３７３）を有する、仕切り（３７０）と、
前記仕切り（３７０）内の孔（３８０）と、
第２のライナー係合組立体（３６５）を含む上方基部セクション外壁（３２０）であって、前記第２のライナー係合組立体（３６５）が、前記第１のライナー係合組立体（２６５）と整列し前記下方ライナー内部（２５１）を前記上方基部セクション外壁（３２０）と係合させる、上方基部セクション外壁（３２０）と、
上方基部セクション内壁（３３０）と、
前記内側仕切り上部セクション（３７３）上で前記上方基部セクション内壁（３３０）に隣接する第１の領域（３０３）から立ち上がり、前記基部上縁（３０９）と水平またはほぼ水平の高さまで上昇して、前記孔（３８０）の上に張り出す第２の領域（３０６）まで半径方向内側に延びる、複数の安定器（３０２）と、
各安定器（３０２）と前記上方基部セクション内壁（３３０）との間の隙間（３３１）と、
前記リップバーム塗布具（５０）の下方基部セクション（３１１）と第２のリップバーム塗布具（５０）の下方基部セクション（３１１）との解放可能な係合をもたらす、前記下方基部セクション（３１１）上の基部係合組立体（３１５）と、を含み、
前記基部（３００）は、３〜６つの側面（１２１）を有し、前記キャップ（１００）の前記３〜６つの側面（１２１）に対応する、基部（３００）と、
を含み、
前記リップバーム塗布具（５０）は、３〜６つの側面（１２１）を有し、前記キャップ（１００）の前記３〜６つの側面（１２１）に対応する、リップバーム塗布具（５０）。
【請求項２】
前記安定器（３０２）は、垂直ブレード（３０７）である、請求項１に記載のリップバーム塗布具（５０）。
【請求項３】
前記安定器（３０２）は、水平フィン付き垂直ブレード（３０８）である、請求項１または２に記載のリップバーム塗布具（５０）。
【請求項４】
前記複数の安定器（３０２）は、６つの安定器（３０２）である、請求項１から３のいずれか一項に記載のリップバーム塗布具（５０）。
【請求項５】
前記複数の安定器（３０２）は、交互に配列された、３つの垂直ブレード（３０７）と、３つの水平フィン付き垂直ブレード（３０８）と、を含む、請求項１から４のいずれか一項に記載のリップバーム塗布具（５０）。
【請求項６】
前記リップバーム塗布具（５０）は、４つの側面（１２１）を有する、請求項１から５のいずれか一項に記載のリップバーム塗布具（５０）。
【請求項７】
前記リップバーム塗布具は、４つの同等の側面（１２１）を有する、請求項１から６のいずれか一項に記載のリップバーム塗布具。
【請求項８】
前記リップバーム塗布具（５０）は、丸みを帯びた縁を備えた４つの同等の側面（１２１）を有する、請求項１から７のいずれか一項に記載のリップバーム塗布具（５０）。
【請求項９】
前記側面は、前記キャップ下部周辺部（１５４）が前記キャップ上部周辺部（１０４）より大きくなるように、長手方向外側に湾曲している、請求項１から８のいずれか一項に記載のリップバーム塗布具（５０）。
【請求項１０】
前記基部係合組立体（３１５）は、スナップ嵌めである、請求項１から９のいずれか一項に記載のリップバーム塗布具（５０）。
【請求項１１】
前記スナップ嵌めは、少なくとも１つの突起（３１６）を有する少なくとも１つのタブと、少なくとも１つの穴（３１８）を有する少なくとも１つのタブと、からなる、請求項１０に記載のリップバーム塗布具（５０）。
【請求項１２】
前記スナップ嵌めは、少なくとも１つの突起（３１６）をそれぞれ有する２つの第１のタブと、少なくとも１つの穴（３１８）をそれぞれ有する２つの第２のタブと、からなる、請求項１１に記載のリップバーム塗布具（５０）。
【請求項１３】
前記２つの第１のタブは、それぞれ２つの突起（３１６）を有し、前記２つの第２のタブは、それぞれ２つの穴（３１８）を有する、請求項１２に記載のリップバーム塗布具（５０）。
【請求項１４】
前記２つの第１のタブ（３１６）および前記２つの第２のタブ（３１８）は、前記基部（３００）上で交互に配列されている、請求項１２または請求項１３に記載のリップバーム塗布具（５０）。
【請求項１５】
前記上方基部セクション外壁（３２０）および前記下方ライナー内部（２５１）は、円形である、請求項１から１１のいずれか一項に記載のリップバーム塗布具（５０）。
【請求項１６】
前記第１のライナー係合組立体（２６５）および前記第２のライナー係合組立体（３６５）は、ねじ嵌めを形成する、請求項１５に記載のリップバーム塗布具。
【請求項１７】
前記第１のライナー係合組立体（２６５）および前記第２のライナー係合組立体（３６５）は、ねじ嵌めを形成する相補的な斜面である、請求項１６に記載のリップバーム塗布具（５０）。
【請求項１８】
前記上方基部セクション外壁（３２０）は、少なくとも１つの傾斜部（２７２）と、少なくとも１つのくぼみ（２７１）と、少なくとも１つのくさび（２７３）と、を含む、請求項１から１７のいずれか一項に記載のリップバーム塗布具（５０）。
【請求項１９】
前記下方ライナー内部（２５１）は、少なくとも１つのピン（２６７）を含む、請求項１８に記載のリップバーム塗布具（５０）。
【請求項２０】
前記少なくとも１つのピン（２６７）は、前記少なくとも１つのくぼみ（２７１）と整列し、前記少なくとも１つのくさび（２７３）は、前記ライナー（２００）が回転するのを阻止する、請求項１９に記載のリップバーム塗布具（５０）。
【請求項２１】
前記第１のキャップ係合組立体（１５５）および前記第２のキャップ係合組立体（２５５）は、スナップ嵌めを形成する、請求項１から２０のいずれか一項に記載のリップバーム塗布具（５０）。
【請求項２２】
前記第１のキャップ係合組立体（１５５）は、前記下方キャップ内部（１５１）上に少なくとも１つの歯（１５７）を含み、前記第２のキャップ係合組立体（２５５）は、前記ライナー周辺部（２５４）上に少なくとも１つの切り欠き（２５８）を含み、前記少なくとも１つの歯（１５７）および前記少なくとも１つの切り欠き（２５８）は、整列して前記スナップ嵌めを形成する、請求項２１に記載のリップバーム塗布具（５０）。
【請求項２３】
４つの歯（１５７）と、４つの切り欠き（２５８）と、を備える、請求項２２に記載のリップバーム塗布具（５０）。
【請求項２４】
前記キャップ上部（１０１）は、前記キャップ平坦縁（１０２）からへこんでいる、請求項１から２３のいずれか一項に記載のリップバーム塗布具（５０）。
【請求項２５】
前記キャップ（１００）または前記ライナー（２００）は、透明である、請求項１から２４のいずれか一項に記載のリップバーム塗布具（５０）。
【請求項２６】
前記キャップ（１００）および前記ライナー（２００）は、透明である、請求項２５に記載のリップバーム塗布具（５０）。
【請求項２７】
前記リップバーム塗布具（５０）は、リップバーム（９０）をさらに含む、請求項１から２６のいずれか一項に記載のリップバーム塗布具（５０）。
【請求項２８】
前記リップバーム（９０）は、半固体である、請求項２７に記載のリップバーム塗布具（５０）。
【請求項２９】
前記リップバーム（９０）は、保湿剤、風味料、甘味料、着色料、薬品、日焼け止め、矯味剤、センセート、酸化防止剤、保存料、およびそれらの組み合わせからなる群から選択された少なくとも１つの成分を含む、請求項２７または請求項２８に記載のリップバーム塗布具（５０）。
【請求項３０】
前記リップバーム（９０）は、安定器（３０２）によって位置的に安定している、請求項２７から２９のいずれか一項に記載のリップバーム塗布具。
【請求項３１】
前記孔（３８０）は、覆われている、請求項２７から３０のいずれか一項に記載のリップバーム塗布具（５０）。
【請求項３２】
第１のリップバーム塗布具（５０）と、第２のリップバーム塗布具（５０）と、からなる、リップバーム容器（６０）であって、前記第１のリップバーム塗布具（５０）および前記第２のリップバーム塗布具（５０）はそれぞれ、
キャップ平坦縁（１０２）およびキャップ上部周辺部（１０４）を備えたキャップ上部（１０１）と、キャップ外部（１２０）と、下方キャップ内部（１５１）および上方キャップ内部（１５２）を有するキャップ内部（１５０）と、前記キャップ内部（１５０）上の第１のキャップ係合組立体（１５５）と、キャップ下部周辺部（１５４）と、を含むキャップ（１００）であって、前記キャップ（１００）は、３〜６つの側面（１２１）を有する、キャップ（１００）と、
ドーム状の上方ライナーセクション（２０１）と、第２のキャップ係合組立体（２５５）を含むライナー周辺部（２５４）を備えた下方ライナーセクション（２１１）であって、前記第２のキャップ係合組立体（２５５）が前記第１のキャップ係合組立体（１５５）と整列し前記ライナー周辺部（２５４）を前記下方キャップ内部（１５１）と係合させる、下方ライナーセクション（２１１）と、ライナー外部（２２０）と、下方ライナー内部（２５１）および上方ライナー内部（２５２）を有するライナー内部（２５０）と、前記下方ライナー内部（２５１）上の第１のライナー係合組立体（２６５）と、を含むライナー（２００）と、
基部上縁（３０９）を有する上方基部セクション（３０１）と、下方基部セクション（３１１）と、前記上方基部セクション（３０１）と前記下方基部セクション（３１１）とを分割し、前記キャップ下部周辺部（１５４）と整列する基部周辺部（３５４）まで延びる仕切り（３７０）であって、前記仕切り（３７０）が仕切り下部（３７６）および仕切り上部（３７１）を有し、前記仕切り上部（３７１）が外側仕切り上部セクション（３７２）および内側仕切り上部セクション（３７３）を有する、仕切り（３７０）と、前記仕切り（３７０）内の孔（３８０）と、第２のライナー係合組立体（３６５）を含む上方基部セクション外壁（３２０）であって、前記第２のライナー係合組立体（３６５）が、前記第１のライナー係合組立体（２６５）と整列し前記下方ライナー内部（２５１）を前記上方基部セクション外壁（３２０）と係合させる、上方基部セクション外壁（３２０）と、上方基部セクション内壁（３３０）と、前記内側仕切り上部セクション（３７３）上で前記上方基部セクション内壁（３３０）に隣接する第１の領域（３０３）から立ち上がり、前記基部上縁（３０９）と水平またはほぼ水平の高さまで上昇して、前記孔（３８０）の上に張り出す第２の領域（３０６）まで半径方向内側に延びる、複数の安定器（３０２）と、各安定器（３０２）と前記上方基部セクション内壁（３３０）との間の隙間（３３１）と、前記第１のリップバーム塗布具（５０）の下方基部セクション（３１１）と前記第２のリップバーム塗布具（５０）の下方基部セクション（３１１）との解放可能な係合をもたらす、前記下方基部セクション（３１１）上の基部係合組立体（３１５）と、を含む基部（３００）であって、前記基部（３００）は、３〜６つの側面（１２１）を有し、前記キャップ（１００）の前記３〜６つの側面（１２１）に対応する、基部（３００）と、
を含み、
前記第１のリップバーム塗布具（５０）および前記第２のリップバーム塗布具（５０）はそれぞれ、３〜６つの側面（１２１）を有し、前記キャップ（１００）の前記３〜６つの側面（１２１）に対応し、
前記第１のリップバーム塗布具（５０）および前記第２のリップバーム塗布具（５０）は、前記基部係合組立体（３１５）を介して係合される、リップバーム容器（６０）。
【請求項３３】
前記リップバーム容器は、バレル形状である、請求項３２に記載のリップバーム容器（６０）。
【請求項３４】
前記第１のリップバーム塗布具（５０）および前記第２のリップバーム塗布具（５０）はそれぞれ、
丸みを帯びた縁を備え、緯度の方向にわずかに湾曲している４つの同等の側面（１２１）を含み、前記４つの同等の側面（１２１）は、長手方向外側に湾曲しており、
前記基部周辺部（３５４）は、前記キャップ上部周辺部（１０４）よりわずかに大きく、
前記キャップ上部（１０１）は、前記キャップ平坦縁（１０２）からへこんでおり、
前記基部（３００）は、スナップ嵌め基部係合組立体（３１５）を有し、前記スナップ嵌め基部係合組立体（３１５）は、２つの突起（３１６）をそれぞれ有する２つの第１のタブと、２つの穴（３１８）をそれぞれ有する２つの第２のタブと、からなる、請求項３２に記載のリップバーム容器（６０）。
【請求項３５】
各リップバーム塗布具（５０）は、切頭角錐状である、請求項３４に記載のリップバーム容器（６０）。
【請求項３６】
各リップバーム塗布具（５０）は、切頭多角形である、請求項３４に記載のリップバーム容器（６０）。
【請求項３７】
リップバームディスペンサーであって、
ドーム状の上方ライナーセクション（２０１）と、ライナー周辺部（２５４）を備えた下方ライナーセクション（２１１）と、ライナー外部（２２０）と、下方ライナー内部（２５１）および上方ライナー内部（２５２）を有するライナー内部（２５０）と、前記下方ライナー内部（２５１）上の第１のライナー係合組立体（２６５）と、を含むライナー（２００）であって、前記ライナー周辺部（２５４）は、随意にキャップ係合組立体（２５５）を有する、ライナー（２００）と、
基部上縁（３０９）を有する上方基部セクション（３０１）と、下方基部セクション（３１１）と、前記上方基部セクション（３０１）と前記下方基部セクション（３１１）とを分割し、基部周辺部（３５４）まで延びる仕切り（３７０）であって、前記仕切り（３７０）が、仕切り下部（３７６）および仕切り上部（３７１）を有し、前記仕切り上部（３７１）が、外側仕切り上部セクション（３７２）および内側仕切り上部セクション（３７３）を有する、仕切り（３７０）と、前記仕切り（３７０）内の孔（３８０）と、第２のライナー係合組立体（３６５）を含む上方基部セクション外壁（３２０）であって、前記第２のライナー係合組立体（３６５）が、前記第１のライナー係合組立体（２６５）と整列し前記下方ライナー内部（２５１）を前記上方基部セクション外壁（３２０）と係合させる、上方基部セクション外壁（３２０）と、上方基部セクション内壁（３３０）と、前記内側仕切り上部セクション（３７３）上で前記上方基部セクション内壁（３３０）に隣接する第１の領域（３０３）から立ち上がり、前記基部上縁（３０９）と水平またはほぼ水平の高さまで上昇して、前記孔（３８０）の上に張り出す第２の領域（３０６）まで半径方向内側に延びる、複数の安定器（３０２）と、各安定器（３０２）と前記上方基部セクション内壁（３３０）との間の隙間（３３１）と、前記リップバームディスペンサーの下方基部セクション（３１１）と第２のリップバームディスペンサーの下方基部セクション（３１１）との解放可能な係合をもたらす、前記下方基部セクション（３１１）上の基部係合組立体（３１５）と、を含む基部（３００）であって、前記基部（３００）は、３〜６つの側面（１２１）を有する、基部（３００）と、
を含む、リップバームディスペンサー。
【請求項３８】
リップバーム用型であって、
ドーム状の上方ライナーセクション（２０１）と、ライナー周辺部（２５４）を備えた下方ライナーセクション（２１１）と、ライナー外部（２２０）と、下方ライナー内部（２５１）および上方ライナー内部（２５２）を有するライナー内部（２５０）と、前記下方ライナー内部（２５１）上の第１のライナー係合組立体（２６５）と、を含むライナー（２００）であって、前記ライナー周辺部（２５４）は、随意にキャップ係合組立体（２５５）を有する、ライナー（２００）と、
基部上縁（３０９）を有する上方基部セクション（３０１）と、下方基部セクション（３１１）と、前記上方基部セクション（３０１）と前記下方基部セクション（３１１）とを分割し、基部周辺部（３５４）まで延びる仕切り（３７０）であって、前記仕切り（３７０）が、仕切り下部（３７６）および仕切り上部（３７１）を有し、前記仕切り上部（３７１）が、外側仕切り上部セクション（３７２）および内側仕切り上部セクション（３７３）を有する、仕切り（３７０）と、前記仕切り（３７０）内の孔（３８０）と、第２のライナー係合組立体（３６５）を含む上方基部セクション外壁（３２０）であって、前記第２のライナー係合組立体（３６５）が、前記第１のライナー係合組立体（２６５）と整列し前記下方ライナー内部（２５１）を前記上方基部セクション外壁（３２０）と係合させる、上方基部セクション外壁（３２０）と、上方基部セクション内壁（３３０）と、前記内側仕切り上部セクション（３７３）上で前記上方基部セクション内壁（３３０）に隣接する第１の領域（３０３）から立ち上がり、前記基部上縁（３０９）と水平またはほぼ水平の高さまで上昇して、前記孔（３８０）の上に張り出す第２の領域（３０６）まで半径方向内側に延びる、複数の安定器（３０２）と、各安定器（３０２）と前記上方基部セクション内壁（３３０）との間の隙間（３３１）と、第１のリップバーム塗布具（５０）の下方基部セクション（３１１）と第２のリップバーム塗布具（５０）の下方基部セクション（３１１）との解放可能な係合をもたらす、前記下方基部セクション（３１１）上の基部係合組立体（３１５）と、を含む、基部（３００）であって、前記基部（３００）は、３〜６つの側面（１２１）を有する、基部（３００）と、
を含み、
前記ライナー（２００）および前記基部（３００）は、前記第１のライナー係合組立体（２６５）および前記第２のライナー係合組立体（３６５）を介して係合され、
係合された前記ライナー（２００）および前記基部（３００）は、前記仕切り下部（３７６）が上を向くように反転される、リップバーム用型。
【請求項３９】
キャップ（１００）をさらに含み、前記キャップ（１００）は、キャップ平坦縁（１０２）およびキャップ上部周辺部（１０４）を備えたキャップ上部（１０１）と、キャップ外部（１２０）と、下方キャップ内部（１５１）および上方キャップ内部（１５２）を有するキャップ内部（１５０）と、前記キャップ内部（１５０）上の第１のキャップ係合組立体（１５５）と、キャップ下部周辺部（１５４）とを含み、前記ライナー周辺部（２５４）は、随意の前記キャップ係合組立体（２５５）を含む、請求項３８に記載のリップバーム用型。
【請求項４０】
リップバーム用型を充填する方法であって、溶融リップバーム組成物を、前記リップバーム用型の仕切り（３７０）内の孔（３８０）を通じて、前記仕切り（３７０）に近づくが前記仕切り（３７０）に触れない充填高さまで、前記リップバーム用型の中に移すステップを含み、
前記充填高さは、前記仕切り（３７０）と前記溶融リップバーム組成物との間にエアポケットを提供し、
前記エアポケットは、約０．５ｍｍ〜約７ｍｍの厚さである、リップバーム用型を充填する方法。
【請求項４１】
前記エアポケットは、約１ｍｍ〜約５ｍｍの厚さである、請求項４０に記載のリップバーム用型を充填する方法。
【請求項４２】
前記エアポケットは、約１．５ｍｍ〜約４ｍｍの厚さである、請求項４０または４１に記載のリップバーム用型を充填する方法。
【請求項４３】
ドーム状のリップバーム（９０）を製造する方法であって、溶融リップバーム組成物を形成するステップと、前記溶融リップバーム組成物を、リップバーム用型の仕切り（３７０）内の孔（３８０）を通して、前記仕切り（３７０）に近づくが前記仕切り（３７０）に触れない充填高さまで、前記リップバーム用型の中に充填するステップと、前記リップバーム（９０）組成物を凝結させるのに十分な温度まで前記溶融リップバーム組成物を冷却するステップと、を含み、
前記充填高さは、前記仕切り（３７０）と前記溶融リップバーム組成物との間にエアポケットを提供し、
前記エアポケットは、約０．５ｍｍ〜約７ｍｍの厚さである、ドーム状のリップバーム（９０）を製造する方法。
【請求項４４】
前記エアポケットは、約１ｍｍ〜約５ｍｍの厚さである、請求項４３に記載のドーム状のリップバーム（９０）を製造する方法。
【請求項４５】
前記エアポケットは、約１．５ｍｍ〜約４ｍｍの厚さである、請求項４３または４４に記載のドーム状のリップバーム（９０）を製造する方法。
【請求項４６】
溶融リップバーム組成物を、前記リップバーム用型の仕切り（３７０）内の孔（３８０）を通じて、前記仕切り（３７０）に近づくが前記仕切り（３７０）に触れない充填高さまで、前記リップバーム用型の中に移すステップを含む、請求項３８または３９に記載のリップバーム用型を充填する方法。
【請求項４７】
前記充填高さは、前記仕切り（３７０）と前記溶融リップバーム組成物との間にエアポケットを提供する、請求項４６に記載のリップバーム用型を充填する方法。
【請求項４８】
前記エアポケットは、約０．５ｍｍ〜約７ｍｍの厚さである、請求項４７に記載のリップバーム用型を充填する方法。
【請求項４９】
前記エアポケットは、約１ｍｍ〜約５ｍｍの厚さである、請求項４７に記載のリップバーム用型を充填する方法。
【請求項５０】
前記エアポケットは、約１．５ｍｍ〜約４ｍｍの厚さである、請求項４７に記載のリップバーム用型を充填する方法。
【請求項５１】
ドーム状のリップバーム（９０）を製造する方法であって、溶融リップバーム組成物を形成するステップと、前記溶融リップバーム組成物を、請求項３９または４０に記載のリップバーム用型の仕切り（３７０）内の孔（３８０）を通して、前記仕切り（３７０）に近づくが前記仕切り（３７０）に触れない充填高さまで、前記リップバーム用型の中に充填するステップと、前記リップバーム（９０）組成物を凝結させるのに十分な温度まで前記溶融リップバーム（９０）組成物を冷却するステップと、を含む、ドーム状のリップバーム（９０）を製造する方法。
【請求項５２】
前記充填高さは、前記仕切り（３７０）と前記溶融リップバーム組成物との間にエアポケットを提供する、請求項５１に記載のドーム状のリップバーム（９０）を製造する方法。
【請求項５３】
前記エアポケットは、約０．５ｍｍ〜約７ｍｍの厚さである、請求項５２に記載のドーム状のリップバーム（９０）を製造する方法。
【請求項５４】
前記エアポケットは、約１ｍｍ〜約５ｍｍの厚さである、請求項５２に記載のドーム状のリップバーム（９０）を製造する方法。
【請求項５５】
前記エアポケットは、約１．５ｍｍ〜約４ｍｍの厚さである、請求項５２に記載のドーム状のリップバーム（９０）を製造する方法。
【国際調査報告】
2019506943.tif 000018
2019506943.tif 000019
2019506943.tif 000020